(57)【要約】【課題】  乾燥ノズル進退型の乾燥機構を備える衛生洗浄装置において、乾燥ノズルの進出が妨げられた状態となっても、乾燥機構の内部の温度が過剰に上昇する事態を有効に回避する。【解決手段】  乾燥ユニット７００が備える可動ノズル７０３は、固定ノズル７０２から進出してその前端部が使用者の局部に面する乾燥位置まで達したときに、当該局部に向かって前記温風を吹出可能とする吹出開口としての吹出口７０３ｅと、固定ノズル７０２に収納された収納位置にあるときに、温風を可動ノズル７０３内から漏出可能とする漏出開口とを有している。漏出開口は、例えば、可動ノズル７０３の前端部に設けられる前端切り欠き部７０３ｊにより形成することができる。【選択図】  図５
2010222964.tif 000002
【特許請求の範囲】
【請求項１】
便座と、
当該便座を回動自在に支持する本体と、
当該本体内に設けられ、前記便座に着座した使用者の局部に向けて洗浄水を噴出可能とする洗浄機構と、
前記本体内に設けられ、前記局部に向けて温風を吹出可能とする乾燥機構と、
を備え、
前記乾燥機構は、前記本体内から外部へ進出可能に設けられる可動ノズルと、前記本体内に位置し、前記可動ノズルを内部に収納可能とする固定ノズルと、を備え、
さらに、前記可動ノズルの前端部には、
前記固定ノズルから進出して当該前端部が前記局部に面する乾燥位置まで達したときに、当該局部に向かって前記温風を吹出可能とする吹出開口と、
前記固定ノズルに収納された収納位置にあるときに、前記温風を当該可動ノズル内から前記本体の外部へ漏出可能とする漏出開口と、
が設けられていることを特徴とする、衛生洗浄装置。
【請求項２】
前記吹出開口は、前記可動ノズルの前端の上面に設けられるとともに、前記漏出開口は、前記前端の端面の上部に、前記吹出開口に連続した切り欠き部として設けられていることを特徴とする、請求項１に記載の衛生洗浄装置。
【請求項３】
前記乾燥機構は、送風機、加熱器、および、当該乾燥機構の温度の過剰な上昇を防止する過熱防止器をさらに備え、
前記温風の流れる方向を基準として上流側から、前記送風機、前記過熱防止器、および前記加熱器の順となる位置関係で設けられていることを特徴とする、請求項１に記載の衛生洗浄装置。
【請求項４】
前記乾燥機構は、さらに温度検知器を備え、
当該温度検知器は、前記加熱器の下流となる位置に設けられていることを特徴とする、請求項３に記載の衛生洗浄装置。
【請求項５】
前記過熱防止器として、サーモスタットおよび温度ヒューズが用いられていることを特徴とする、請求項３に記載の衛生洗浄装置。
【請求項６】
前記温度ヒューズは、前記サーモスタットよりも前記送風機に近い位置に設けられていることを特徴とする、請求項５に記載の衛生洗浄装置。
【請求項７】
制御器および操作器をさらに備え、
前記使用者が前記操作器を操作して前記乾燥機構の動作を開始させたときには、前記制御器は、前記送風機および前記加熱器を動作させるとともに、前記温度検知器により検知される温度値の取得し、当該温度値を用いて前記加熱器の出力を調節する制御を行うことを特徴とする、請求項４に記載の衛生洗浄装置。
【請求項８】
前記制御器は、前記送風機および前記加熱器により形成される前記温風の温度が、予め設定されている乾燥値を超えない温度となるように、前記加熱器の出力を調節する制御を行うことを特徴とする、請求項７に記載の衛生洗浄装置。
【請求項９】
前記乾燥機構は、前記可動ノズルを進退させる進退駆動機構をさらに備え、
前記使用者が前記操作器を操作して前記乾燥機構の動作を開始させたときには、前記制御器は、前記進退駆動機構による前記可動ノズルの進出を先に開始させた後に、前記可動ノズルが前記乾燥位置に達する前に、前記送風機および前記加熱器の動作を開始させる制御を行うことを特徴とする、請求項８に記載の衛生洗浄装置。
【請求項１０】
前記乾燥機構は、前記可動ノズルを進退させる進退駆動機構をさらに備え、
前記使用者が前記操作器を操作して前記乾燥機構の動作を開始させたときには、前記制御器は、前記送風機および前記加熱器の動作を先に開始させてから、前記温風の温度が前記乾燥値に達したことが前記温度検知器により検知されれば、前記進退駆動機構による前記可動ノズルの進出を開始させる制御を行うことを特徴とする、請求項８に記載の衛生洗浄装置。
【請求項１１】
前記制御器は、前記加熱器の動作の開始直後は、当該加熱器の出力を、前記温風の前記乾燥値を維持する標準出力値よりも大きい起動出力値とするとともに、
前記温度検知器により検知された前記温風の温度が、前記乾燥値よりも低い値として設定されている調節値に達したときには、前記加熱器の出力を、前記起動出力値から前記標準出力値に低下させる制御を行うことを特徴とする、請求項９または１０に記載の衛生洗浄装置。
【請求項１２】
前記固定ノズルは、その前端部が下方となるように傾斜した状態で前記本体内に設けられ、
前記温度検知器は、前記固定ノズルの後端部において、前記固定ノズル内に前記可動ノズルが収納された状態で前記可動ノズルの内部に露出する位置に設けられていることを特徴とする、請求項４に記載の衛生洗浄装置。
【請求項１３】
前記固定ノズルの後端部の下内面は、当該固定ノズルそのものの傾斜角よりも小さな傾斜角を有する平坦面となっており、
当該平坦面に、前記温度検知器が設けられていることを特徴とする、請求項１２に記載の衛生洗浄装置。
【請求項１４】
前記平坦面には、上側に突出する突起部が設けられ、当該突起部に前記温度検知器が位置していることを特徴とする、請求項１３に記載の衛生洗浄装置。
【請求項１５】
前記可動ノズルの後端部には、前記可動ノズルが前記固定ノズル内に収納されたときに、前記温度検知器が露出できる長さとなるように、前側に切り込まれた切り込み部が設けられていることを特徴とする、請求項１２に記載の衛生洗浄装置。
【請求項１６】
前記固定ノズル内に前記可動ノズルが収納された状態で、当該可動ノズルの下方外面と前記固定ノズルの下内面との間には、前記温度検知器が設けられている位置から前記固定ノズルの後端部に達する溝状の間隙が設けられている、請求項１２に記載の衛生洗浄装置。
【発明の詳細な説明】
【技術分野】
【０００１】
本発明は、乾燥機構を備えた衛生洗浄装置に関する。
【背景技術】
【０００２】
衛生洗浄装置（トイレ装置、温水洗浄便座等を含む）には、洗浄後の局部等を乾燥するための乾燥機構を備えるものが知られている。例えば、特許文献１には、温風を送風する送風機に連通したフレキシブルダクトに移動可能ダクトを進退自在に設け、当該移動可能ダクトの前端に設けた吹出口を使用者の被乾燥部位近くに突出させ、温風を吹きつけ乾燥させる構成の衛生洗浄器が開示されている。この衛生洗浄器においては、前記移動可能ダクトが被乾燥部位に対応する位置に移動したことを検知する検知器が設けられている。前記移動可能ダクトが所定位置に到達したことを検知器が検知すると、送風機および発熱線への通電を開始し、温風が吹出口から噴出する。
【０００３】
具体的には、図１６に示すように、特許文献１に開示された衛生洗浄器においては、本体１００１の内部に設置した送風機１００２および発熱線１００３からなる温風装置の下流に、フレキシブルダクト１００４を設置し、当該フレキシブルダクト１００４の下流に移動可能ダクト１００５を接続し、当該移動可能ダクト１００５の前端部には上方に向かって開口する吹出口１００６が設けられている。移動可能ダクト１００５の側面にはマグネット１００７が設置してあり、本体１００１の所定位置にはリードスイッチ１００８が設置してある。移動可能ダクト１００５が突出した状態では、マグネット１００７およびリードスイッチ１００８は互いに近接するので、マグネット１００７の作用により、リードスイッチ１００８が「入」となる。これにより、送風機１００２および発熱線１００３が通電される。
【０００４】
また、特許文献２には、温風を送風する送風機に連通した送風ダクトの前端部に温風ノズルを進退自在に設けた構成の乾燥用温風供給装置が開示されている。この乾燥用温風供給装置は、温水洗浄便座に付設されているものであり、非使用時には温風ノズルを送風ダクト内に収納し、使用時には温風ノズルを駆動部によって送風ダクトから進出させるよう構成されている。温風ノズルの前端には温風吹き出し口が設けられているので、使用時には、前記温風噴き出し口は使用者の臀部近くに突出して、乾燥のために温風が臀部に吹きつけられることになる。
【０００５】
具体的には、図１７に示すように、特許文献２に開示された乾燥用温風供給装置においては、本体１０１１の内部に、送風機１０１２と送風ダクト１０１３とが設置され、送風ダクト１０１３の前端部に温風ノズル１０１４がスライド自在に挿入されている。温風ノズル１０１４は駆動装置１０１５により進退可能に構成され、使用時には、図示されるように、温風ノズル１０１４の前端の上面に設けられた温風吹き出し口１０１６が、便座１０１７の下面後部から使用者の臀部の近くまで突出可能となっている。
【０００６】
あるいは、特許文献３には、運転開始の際に、送風機を回転させた後にヒータを通電させるように構成されたトイレ装置が開示されている。これにより、乾燥運転（暖房運転）の開始の際、急激な温度上昇によって保安器の働きが間に合わなかったとしても、送風によって温度ヒューズの急激な昇温を抑制できるため、これが誤溶断することがない。それゆえ、溶断温度の低い温度ヒューズを採用することができ、異常発生時の温度ヒューズの働きを良好なものとすることができる。なお、このトイレ装置においては、特許文献１および２に開示の技術とは異なり、進退可能な乾燥用の温風ノズル（乾燥ノズル）については記載されていない。
【先行技術文献】
【特許文献】
【０００７】
【特許文献１】特開昭６０−２１９３３８号公報
【特許文献２】特開昭６０−２１５９３５号公報
【特許文献３】特開平０９−２７９６６５号公報
【発明の概要】
【発明が解決しようとする課題】
【０００８】
このように、衛生洗浄装置が備える乾燥機構としては、乾燥用の温風を吹き出すための乾燥ノズル（特許文献１および２における「温風ノズル」に相当）が使用時に進出する構成のもの（説明の便宜上、「乾燥ノズル進退型」の乾燥機構と称する。）が提案されている。しかしながら、これら乾燥ノズル進退型の乾燥機構においては、何らかの理由で使用時に乾燥ノズルが進出しなかったときに、当該乾燥ノズル内に温風が滞留するという事態を引き起こすおそれがある。
【０００９】
例えば、便の付着により乾燥ノズルが進出できなかったり、着衣に由来する糸等の異物が乾燥ノズルの進出を妨げたりした状態が発生したとする。この場合、特許文献３に開示されるように、送風機を先に回転させた後にヒータを通電させたとしても、乾燥ノズルが進出できなければ、乾燥用の温風は乾燥ノズル内に滞る。それゆえ、乾燥ノズルまたは当該乾燥ノズルを含む乾燥機構の内部の温度が所定値以上に過剰に上昇するおそれがある。このような温度上昇は、乾燥機構が備える乾燥ノズル、送風機等の各部材またはデバイスにとって好ましくない。
【００１０】
特に、特許文献３で例示したように、衛生洗浄装置が暖房機能または乾燥機能を有していれば、通常、温度の過剰な上昇を防止する手段（過熱防止器）として、温度ヒューズ等が設けられているが、乾燥ノズル内での温風の滞留は、温度ヒューズの溶断を招くおそれがある。
【００１１】
乾燥ノズルが進出できない原因が便の付着または異物に起因するものであれば、便または異物を除去すれば、乾燥ノズルは進出可能な状態に容易に復帰する。ところが、温度ヒューズが溶断すれば、復帰が容易な状態であったにもかかわらず、衛生洗浄装置への通電が強制的に遮断され、温度ヒューズを新品に交換する作業をしなければ、復帰させることができなくなってしまう。
【００１２】
本発明はこのような課題を解決するためになされたものであって、その目的は、乾燥ノズル進退型の乾燥機構を備える衛生洗浄装置において、乾燥ノズルの進出が妨げられた状態となっても、乾燥機構の内部の温度が過剰に上昇する事態を有効に回避できるようにすることにある。
【課題を解決するための手段】
【００１３】
本発明に係る衛生洗浄装置は、前記の課題を解決するために、便座と、当該便座を回動自在に支持する本体と、当該本体内に設けられ、前記便座に着座した使用者の局部に向けて洗浄水を噴出可能とする洗浄機構と、前記本体内に設けられ、前記局部に向けて温風を吹出可能とする乾燥機構と、を備え、前記乾燥機構は、前記本体内から外部へ進出可能に設けられる可動ノズルと、前記本体内に位置し、前記可動ノズルを内部に収納可能とする固定ノズルと、を備え、さらに、前記可動ノズルの前端部には、前記固定ノズルから進出して当該前端部が前記局部に面する乾燥位置まで達したときに、当該局部に向かって前記温風を吹出可能とする吹出開口と、前記固定ノズルに収納された収納位置にあるときに、前記温風を当該可動ノズル内から前記本体の外部へ漏出可能とする漏出開口と、が設けられている構成である。
【００１４】
前記構成によれば、漏出開口を設けることにより、乾燥ノズルを構成する可動ノズルが収納位置にあっても温風が内部で滞ることが回避される。それゆえ、可動ノズルの進出が妨げられた状態となっても、乾燥機構の内部の温度が過剰に上昇する事態を有効に回避できる。
【００１５】
前記衛生洗浄装置においては、前記吹出開口および漏出開口の具体的な構成は特に限定されないが、前記吹出開口は、前記可動ノズルの前端の上面に設けられるとともに、前記漏出開口は、前記前端の端面の上部に、前記吹出開口に連続した切り欠き部として設けられている構成を好ましい一例としてあげることができる。
【００１６】
前記構成によれば、前端の端面に吹出開口に連続した切り欠き部が設けられることで、可動ノズルが収納位置にあっても、当該切り欠き部が漏出開口を構成することになる。それゆえ、吹出開口とは独立した開口を別途設ける必要がなく、可動ノズルの構成を簡素化することができる。
【００１７】
前記衛生洗浄装置においては、前記乾燥機構は、送風機、加熱器、および、当該乾燥機構の温度の過剰な上昇を防止する過熱防止器をさらに備え、前記温風の流れる方向を基準として上流側から、前記送風機、前記過熱防止器、および前記加熱器の順となる位置関係で設けられていることが好ましく、前記乾燥機構は、さらに温度検知器を備え、当該温度検知器は、前記加熱器の下流となる位置に設けられていることがより好ましい。
【００１８】
前記構成によれば、過熱防止器を備えることで、乾燥機構の信頼性をさらに高めることができるだけでなく、可動ノズルに漏出開口が設けられることで、過熱防止器の動作が非常に低い頻度に抑えられる。それゆえ、乾燥機構の動作が停止する可能性も非常に低くすることができる。また、温度検知器が加熱器の下流に設けられることで、加熱器で形成される温風の温度を適切に検出し、乾燥機構の動作を適切なものとすることができる。
【００１９】
前記衛生洗浄装置においては、前記過熱防止器として、サーモスタットおよび温度ヒューズが用いられていることが好ましく、前記温度ヒューズは、前記サーモスタットよりも前記送風機に近い位置に設けられていることがより好ましい。
【００２０】
前記構成によれば、過熱防止器を二重に設けていることなるので、信頼性をより好適なものとすることができる。また、非復帰型の過熱防止器である温度ヒューズが送風機に近い位置に設けられていれば、送風機が正常に動作している限り、復帰型の過熱防止器であるサーモスタットよりも先に動作することがない。それゆえ、非復帰型の温度ヒューズの動作を抑制し、必要以上のメンテナンス（点検または修理等）を抑制することができる。
【００２１】
前記衛生洗浄装置においては、制御器および操作器をさらに備え、前記使用者が前記操作器を操作して前記乾燥機構の動作を開始させたときには、前記制御器は、前記送風機および前記加熱器を動作させるとともに、前記温度検知器により検知される温度値の取得し、当該温度値を用いて前記加熱器の出力を調節する制御を行うことが好ましい。
【００２２】
前記構成によれば、使用者が操作器を操作することで、制御器により乾燥機構の動作が開始するよう構成され、かつ、温度検知器によって加熱器の出力が調節されている。それゆえ、使用者の必要に応じて乾燥機構を適切に動作させることができるだけでなく、通常の動作において、乾燥機構の内部の温度が過剰に上昇するおそれを無くすことができる。また、前述した可動ノズルの構成によって、もし可動ノズルの進出が妨げられた状態となっても、乾燥機構の内部の温度が過剰に上昇する事態を有効に回避できる。
【００２３】
前記衛生洗浄装置においては、前記制御器は、前記送風機および前記加熱器により形成される前記温風の温度が、予め設定されている乾燥値を超えない温度となるように、前記加熱器の出力を調節する制御を行う構成であると好ましい。
【００２４】
前記構成によれば、制御器によって乾燥機構により形成される温風の温度が乾燥値を超えないように制御されるので、通常の動作において好適な温度範囲の温風を形成できるだけでなく、通常の動作において、乾燥機構の内部の温度が過剰に上昇するおそれを無くすことができる。
【００２５】
前記衛生洗浄装置においては、さらに、前記乾燥機構は、前記可動ノズルを進退させる進退駆動機構をさらに備え、前記使用者が前記操作器を操作して前記乾燥機構の動作を開始させたときには、前記制御器は、前記進退駆動機構による前記可動ノズルの進出を先に開始させた後に、前記可動ノズルが前記乾燥位置に達する前に、前記送風機および前記加熱器の動作を開始させる制御を行う構成であると好ましい。
【００２６】
前記構成によれば、可動ノズルが先に動作して、当該可動ノズルが乾燥位置に到達する前に送風機と加熱器への通電を開始することになる。それゆえ、可動ノズルが乾燥位置に到達した時点では、温風の温度を乾燥に好適な範囲に上昇させることができる。したがって、使用者にとっては、温風が吹き出しを開始した時点で、温風の温度は快適な温度範囲となっているので、使用者が冷風感を覚えるおそれが大幅に低減され、使用者に不快感を与える可能性を十分に抑制することができる。
【００２７】
あるいは、前記衛生洗浄装置においては、前記乾燥機構は、前記可動ノズルを進退させる進退駆動機構をさらに備え、前記使用者が前記操作器を操作して前記乾燥機構の動作を開始させたときには、前記制御器は、前記送風機および前記加熱器の動作を先に開始させてから、前記温風の温度が前記乾燥値に達したことが前記温度検知器により検知されれば、前記進退駆動機構による前記可動ノズルの進出を開始させる制御を構成であってもよい。
【００２８】
前記構成によれば、温風の温度を乾燥に好適な温度範囲に上昇させ得る状態を確立してから、可動ノズルの進出動作を開始することとなる。そのため、使用者の局部等に冷風が当たることを実質的に防止することができ、使用者に不快感を与える可能性を十分に抑制することができる。
【００２９】
前記衛生洗浄装置においては、前記いずれかの制御に加えて、前記制御器は、前記加熱器の動作の開始直後は、当該加熱器の出力を、前記温風の前記乾燥値を維持する標準出力値よりも大きい起動出力値とするとともに、前記温度検知器により検知された前記温風の温度が、前記乾燥値よりも低い値として設定されている調節値に達したときには、前記加熱器の出力を、前記起動出力値から前記標準出力値に低下させる制御を行う構成であると、より好ましい。
【００３０】
前記構成によれば、加熱器の動作を開始させてから一定の期間では、温風の昇温速度を相対的に高くなるように制御し、設定温度である乾燥値に近づいた時点で、昇温速度を低下させるように制御する。これにより、温風の温度が乾燥値をオーバーシュートするおそれが有効に抑制され、それゆえ、温風の温度を短時間で乾燥値まで昇温できるとともに、温風の温度をより適切に調節することが可能となる。
【００３１】
前記衛生洗浄装置においては、前記固定ノズルは、その前端部が下方となるように傾斜した状態で前記本体内に設けられ、前記温度検知器は、前記固定ノズルの後端部において、前記固定ノズル内に前記可動ノズルが収納された状態で前記可動ノズルの内部に露出する位置に設けられている構成であると好ましい。
【００３２】
前記構成によれば、傾斜して設けられる乾燥ノズル（固定ノズルおよび可動ノズル）の最上方に温度検知器が位置することになる。それゆえ、仮に固定ノズルに洗浄水または尿等の水性液体が流れ込んだ場合であっても、これら水性液体が温度検知器に影響を及ぼすおそれを有効に回避することができる。また、温度検知器は、可動ノズルが収納位置にあっても乾燥位置にあっても、温風の通路内に露出していることになる。それゆえ、加熱器で形成される温風の温度を、より一層適切に検出し、乾燥機構の動作をさらに適切なものとすることができる。
【００３３】
前記衛生洗浄装置においては、前記固定ノズルの後端部の下内面は、当該固定ノズルそのものの傾斜角よりも小さな傾斜角を有する平坦面となっており、当該平坦面に、前記温度検知器が設けられていることが好ましく、前記平坦面には、上側に突出する突起部が設けられ、当該突起部に前記温度検知器が位置していることがより好ましい。
【００３４】
前記構成によれば、温度検知器が加熱器の下流側に位置し、平坦面は固定ノズルの後端部の下内面であるので、温度検知器が設けられる位置は、加熱器の下流であり、かつ、傾斜した固定ノズルと加熱器との接続部に相当する。それゆえ、乾燥機構に温度検知器を設けるための特別な部位を形成しなくても、固定ノズルの後方側に平坦面を設けるだけで温度検知器を設ける部位とすることができるので、乾燥機構の大型化を抑制することができる。また、平坦面は、固定ノズルの傾斜角より緩やかに傾斜しているので、固定ノズル内に水性液体が勢いよく流入したとしても、固定ノズル内に露出した温度検知器は、水性液体の流入方向より下方に位置することになるので、当該水性液体が温度検知器にかかるおそれを有効に抑制することができる。加えて、突起部に温度検知器が設けられていれば、流れ落ちた水性液体が温度検知器に接触するおそれも有効に抑制できる。
【００３５】
前記衛生洗浄装置においては、前記可動ノズルの後端部には、前記可動ノズルが前記固定ノズル内に収納されたときに、前記温度検知器が露出できる長さとなるように、前側に切り込まれた切り込み部が設けられていることが好ましい。
【００３６】
前記構成によれば、可動ノズルが固定ノズルに収納された状態（収納位置）において、平坦面に設けられた温度検知器が可動ノズル内に露出することができる。
【００３７】
前記衛生洗浄装置においては、前記固定ノズル内に前記可動ノズルが収納された状態で、当該可動ノズルの下方外面と前記固定ノズルの下内面との間には、前記温度検知器が設けられている位置から前記固定ノズルの後端部に達する溝状の間隙が設けられていることが好ましい。
【００３８】
前記構成によれば、固定ノズルの内面に溝状の間隙が設けられることになるので、固定ノズルと可動ノズルとの接触面積が小さくなり、固定ノズル内での可動ノズルの摺動抵抗を軽減することができる。また、固定ノズル内に水性液体が侵入したとしても、溝状の間隙を流れて固定ノズルの外へ排出されやすくなる。
【発明の効果】
【００３９】
以上のように、本発明によれば、乾燥ノズル進退型の乾燥機構を備える衛生洗浄装置において、乾燥ノズルの進出が妨げられた状態となっても、乾燥機構の内部の温度が過剰に上昇する事態を有効に回避することができるという効果を奏する。
【図面の簡単な説明】
【００４０】
【図１】本発明の実施の形態１に係る衛生洗浄装置を便器上に設置した状態の外観を示す斜視図である。
【図２】図１に示す衛生洗浄装置が備える本体のカバーを外した状態を示す斜視図であって、当該本体内に設けられている可動ノズルが収納位置にある状態の一例を示す図である。
【図３】図１に示す衛生洗浄装置が備える本体のカバーを外した状態を示す斜視図であって、当該本体内に設けられている可動ノズルが乾燥位置にある状態の一例を示す図である。
【図４】図１に示す衛生洗浄装置が備える本体のカバーを外した状態を示す斜視図であって、図２および図３には示されていない制御ユニットの位置の一例を示す図である。
【図５】図２に示す本体内に設けられる乾燥ユニット（乾燥装置）の外観構成の一例を示す斜視図である。
【図６】図５に示す乾燥ユニットの概略断面図であり、可動ノズルが収納位置にある状態を示す図である。
【図７】図５に示す乾燥ユニットの概略断面図であり、可動ノズルが乾燥位置にある状態を示す図である。
【図８】図７に示す乾燥ユニットのＡＡ線矢視断面図である。
【図９】図５に示す乾燥ユニットが備えるヒータユニットの構成の一例を示す斜視図である。
【図１０】図５に示す乾燥ユニットが備える可動ノズルの構成の一例を示す上方斜視図である。
【図１１】図９に示す可動ノズルの下方斜視図である。
【図１２】図５に示す乾燥ユニットの変形例を示す斜視図であり、可動ノズルが収納位置にある状態を示す。
【図１３】図１２に示す乾燥ユニットの変形例において、可動ノズルが乾燥位置にある状態を示す斜視図である。
【図１４】図１に示す衛生洗浄装置において、乾燥動作を開始する際の可動ノズルの位置と、ヒータユニットへの通電率および温風温度との関係を示すタイムチャートである。
【図１５】本発明の実施の形態２に係る衛生洗浄装置において、乾燥動作を開始する際の可動ノズルの位置と、ヒータユニットへの通電率および温風温度との関係を示すタイムチャートである。
【図１６】従来の衛生洗浄装置の一例を示す模式的断面図である。
【図１７】従来の衛生洗浄装置の他の例を示す斜視図である。
【発明を実施するための形態】
【００４１】
以下、本発明の好ましい実施の形態を、図面を参照しながら説明する。なお、以下では全ての図を通じて同一又は相当する要素には同一の参照符号を付して、その重複する説明を省略する。
【００４２】
（実施の形態１）
［衛生洗浄装置の外観構成］
まず、本実施の形態に係る衛生洗浄装置の外観構成について、図１を参照して具体的に説明する。図１は、本実施の形態に係る衛生洗浄装置１００を便器６００の上に設置した状態の外観を示す斜視図である。
【００４３】
以下、衛生洗浄装置１００の構成を説明するにあたっては、便座４００に着座した使用者から見て前方を前方向または前側、後方を後方向または後側、左側方を左方向または左側、右側方を右方向または右側として説明する。この場合、本体２００を便器６００へ設置した状態で、当該本体２００の側が後側となり、便座４００の側が前側となる
また、便蓋３００および便座４００は、それぞれ起立位置と倒伏位置との間で、それぞれ別個にかつ両者一緒に回動可能に設けられるが、以下では、便宜上、これらが倒伏位置から起立位置へ向かって回動することを「開く」といい、起立位置から倒伏位置へ向かって回動することを「閉じる」という。
【００４４】
図１に示すように、衛生洗浄装置１００は、本体２００、便蓋３００、便座４００、リモートコントローラ５００を備え、本体２００、便蓋３００、便座４００は一体で構成され、便器６００の上面に設置される。
【００４５】
本体２００には、便蓋３００および便座４００が回動自在に支持されている。本実施の形態では、便蓋３００および便座４００は、本体２００内に設けられる電動の便座便蓋開閉ユニット（図示せず）を介して当該本体２００に取り付けられ、それゆえ、手動による開閉も自動的な開閉もいずれも可能となるように構成されている。図１に示すように、便蓋３００を開いた状態においては、便蓋３００は衛生洗浄装置１００の最後部となる位置で起立状態となる。また、便蓋３００を閉じた状態においては、図示しないが、便座４００の上面を覆うことで、便座４００と便器６００の内部とを隠蔽する。本実施の形態では、便座４００は、便座ヒータ（図示せず）を内蔵しており、当該便座ヒータの加熱により、便座４００の着座面が快適な温度になるように暖房される。
【００４６】
また、本実施の形態では、図１に示すように、本体２００の右側部には突出部が設けてあり、この突出部の前部には人体検知センサ２０１が設けられている。また、本体２００の前面で便座４００が倒伏位置にある状態で、当該便座４００の上面よりも上側となる位置（図１に示す構成では、本体２００の前上方のコーナー部）には、着座センサ２０２が設けられている。これら人体検知センサ２０１および着座センサ２０２は、本実施の形態では、反射型の赤外線センサが用いられる。赤外線センサは赤外線を放射し、当該赤外線が人体で反射されれば、それを検出することにより人体を検知するよう構成されている。なお、人体検知センサ２０１はトイレ室に入室した使用者を検知するものであり、着座センサ２０２は便座４００に着座した使用者を検知するものである。
【００４７】
リモートコントローラ５００は、衛生洗浄装置１００の操作器であって、衛生洗浄装置１００が設置されたトイレ室において、便座４００上に着座した使用者が操作可能な位置の壁面に取り付けられる。リモートコントローラ５００には、衛生洗浄装置１００を操作するために、複数の操作スイッチおよび表示部が設けられている。
さらに、図１には詳細に示さないが、本体２００の右側部に設けられている前記突出部にも、リモートコントローラ５００の操作機能を補助するための操作スイッチおよび表示部等が設けられてもよい。
【００４８】
前述した本体２００、便蓋３００、便座４００、リモートコントローラ５００の具体的構成、並びに、リモートコントローラ５００が備える操作スイッチおよび表示部等の具体的構成は特に限定されるものではなく、いずれも公知の構成を好適に用いることができる。
【００４９】
また、本体２００の前側下部は便器６００の内部に向かっており、便座４００の下に位置しているが、この部位の中央部には、ノズルシャッター２０３が設けられている。このノズルシャッター２０３は、本体２００内に収納された各種洗浄ノズル、乾燥ノズルの先端部を覆うものである。ノズルシャッター２０３、洗浄ノズル、および乾燥ノズルについては後述する。
【００５０】
［本体内部の構成］
次に衛生洗浄装置１００が備える本体２００の内部構成について、図２ないし図４を参照して具体的に説明する。図２は、本体２００のカバーを外した状態を示す斜視図であって、後述する可動ノズルが収納位置（後述）にある状態の一例を示す図であり、図３は、図２と同様に、本体２００のカバーを外した状態を示す斜視図であって、前記可動ノズルが乾燥位置（後述）にある状態の一例を示す図である。図４は、図２および図３と同様に、本体２００のカバーを外した状態を示す斜視図であるが、図２および図３には示されていない制御ユニットの位置を示す図となっている。
【００５１】
図２および図３に示すように、本体２００のカバーを取り外した状態では、本体２００の内部には、給水ユニット１０１、熱交換器１０２、洗浄ノズルユニット１０３、エアポンプ１０４、脱臭ユニット１０５、乾燥ユニット７００等が設けられている。また、図２および図３には図示されないが、便座便蓋開閉ユニットも本体２００内に設けられ、図４に示すように、制御ユニット２０４も本体２００内に設けられている。なお、給水ユニット１０１、熱交換器１０２、洗浄ノズルユニット１０３、脱臭ユニット１０５、乾燥ユニット７００、便座便蓋開閉ユニット、制御ユニット２０４等は、衛生洗浄装置１００が有する各種機能を実行するためのユニットであるので、以下の説明では、必要に応じて、まとめて機能ユニットと称する。
【００５２】
給水ユニット１０１は、洗浄ノズルユニット１０３へ洗浄水を供給する洗浄水供給機構（給水手段）である。給水ユニット１０１は給水口１０１ａを有し、この給水口１０１ａを介して、洗浄水の供給源である水道配管に接続される。また、給水ユニット１０１は、熱交換器１０２を介して洗浄ノズルユニット１０３に接続されている。
【００５３】
熱交換器１０２は、給水ユニット１０１から供給された洗浄水を加熱して所定の温度範囲の温水を調製するもの（熱交換ユニット、洗浄水加熱手段）である。熱交換器１０２は、前記のとおり給水ユニット１０１および洗浄ノズルユニット１０３の間に介在して接続されている。
【００５４】
洗浄ノズルユニット１０３は、お尻洗浄ノズル１０３ａ、ビデノズル１０３ｂ、これらを進退移動させる洗浄ノズル駆動機構（図示せず）等を備えている。リモートコントローラ５００の操作により、お尻洗浄ノズル１０３ａまたはビデノズル１０３ｂは本体２００から進出し、熱交換器１０２から供給される温水を使用者の局部へ噴出させることにより、当該局部を洗浄する。すなわち、洗浄ノズルユニット１０３は、便座４００に着座した使用者の局部に向けて洗浄水を噴出可能とする洗浄機構（洗浄手段）である。
【００５５】
洗浄ノズルユニット１０３が備えるお尻洗浄ノズル１０３ａは、男女共通で肛門およびその近傍の局部を洗浄するために用いられ、ビデノズル１０３ｂは、女性の局部を洗浄するために用いられる。つまりお尻洗浄ノズル１０３ａおよびビデノズル１０３ｂは、いずれも局部を洗浄する洗浄ノズルであり、これら洗浄ノズルは、本体２００内に収納された収納位置（図２および図３参照）と、洗浄動作を行うための位置であって、本体２００の前方に設けられるノズル進出口１０３ｃから前方に進出した洗浄位置（図示せず）との間を、前記洗浄ノズル駆動機構により進退移動する。
【００５６】
エアポンプ１０４は、洗浄水に空気を混入するためのものであり、本実施の形態では、洗浄ノズルユニット１０３とともに、洗浄機構の一部を構成している。洗浄水に空気を混入することで、局部に当接する洗浄水の勢いを緩和させたり、局部へマッサージ効果を与えたりすることができる。なお、エアポンプ１０４は設けられなくてもよい。なお、洗浄ノズルユニット１０３に温水を供給するための給水ユニット１０１および熱交換器１０２も洗浄機構（洗浄手段）の一部を構成している。
【００５７】
脱臭ユニット１０５は、便器６００内および衛生洗浄装置１００近傍の脱臭を行うもの（脱臭装置、脱臭手段）である。脱臭ユニット１０５は、脱臭を行うために空気を吸い込む吸込口１０５ａを備えているが、この吸込口１０５ａは、通常、図２および図３に示すように、便器６００内の排便臭を吸い込むために本体２００の前側に設けられている。
【００５８】
乾燥ユニット７００は、洗浄水により濡れた局部の乾燥を促進するために、当該局部に向けて温風（乾燥風）を噴出するものであり、局部に向けて温風を吹出可能とする乾燥機構（乾燥装置、乾燥手段）である。乾燥ユニット７００は、図３に示すように、本体２００内から外部へ進出可能に設けられる可動ノズル７０３を少なくとも備えている。この可動ノズル７０３には、温風を吹き出すための吹出口７０３ｅ（あるいは温風の噴出口）が設けられている。なお、乾燥ユニット７００の具体的な構成については後述する。
【００５９】
本実施の形態に係る衛生洗浄装置１００においては、本体２００の前側下部から突出可能な構成として、お尻洗浄ノズル１０３ａ、ビデノズル１０３ｂ、および可動ノズル７０３を備えている。これらをまとめて突出部材と称すれば、これら突出部材は、通常は、図２に示すように本体２００の内部に収納されている。
【００６０】
ここで、本実施の形態では、図１にも示すように、本体２００の前方下部を覆う位置にノズルシャッター２０３が設けられている。このノズルシャッター２０３は、前記突出部材が本体２００内に収納されているときには、本体２００の前側下部を覆っているが、図３に示すように、前記突出部材のいずれかが進出すれば上側に開くように取り付けられている。なお、図３では可動ノズル７０３が進出した例を示している。これにより、排便時に汚物等が前記突出部材に直接掛からないようにすることができる。なお、このノズルシャッター２０３は、本実施の形態では、汚れが付着した時には洗浄ができるよう、着脱可能な構成となっている。
【００６１】
さらにノズルシャッター２０３を開く動作は、本実施の形態では、前記突出部材のうち、洗浄ノズルユニット１０３が備えるお尻洗浄ノズル１０３ａおよびビデノズル１０３ｂによって行われる。具体的には、通常、ノズルシャッター２０３は図示されないバネ等の弾性部材により閉じた状態（図２参照）に付勢されている。そして、局部の洗浄が行われる場合であれば、お尻洗浄ノズル１０３ａまたはビデノズル１０３ｂ自体が進出してノズルシャッター２０３に当接して押し上げることで（図３参照）、当該ノズルシャッター２０３が開けられることになる。
【００６２】
次に、局部の乾燥が行われる場合であれば、まずビデノズル１０３ｂが進出を開始してノズルシャッター２０３に当接し、ノズルシャッター２０３を開いた状態で停止する。次に、可動ノズル７０３が、ビデノズル１０３ｂより遅れて進出を開始する。ノズルシャッター２０３は、ビデノズル１０３ｂによって押し上げられて開いた状態にあるので、その下方より可動ノズル７０３が便器６００の中央に向かって突出する。可動ノズル７０３が完全に突出した状態では、可動ノズル７０３の吹出口７０３ｅはノズルシャッター２０３で閉塞されない位置に設けられているので、当該吹出口７０３ｅから温風が局部に向かって吹き出されることになる。
【００６３】
なお、乾燥時にビデノズル１０３ｂでノズルシャッター２０３を開ける理由は、乾燥ユニット７００が本体２００の中央から外れた位置に設けられるためである。すなわち、ノズルシャッター２０３は、本体２００の前側下部の中央に設けられているが、乾燥ユニット７００が偏った位置に設けられていれば、必然的に可動ノズル７０３もノズルシャッター２０３の一方の側に偏って配置されていることになる。それゆえ、可動ノズル７０３自体でノズルシャッター２０３を確実に開くことが難しいことから、本体２００の中央に位置するビデノズル１０３ｂを用いる。
【００６４】
もちろん、お尻洗浄ノズル１０３ａによりノズルシャッター２０３を開けてもよいし、ステッピングモータ等のシャッター開閉用の駆動機構を別途設けることにより、ノズルシャッター２０３を開くように構成してもよい。なお、乾燥ユニット７００の本体２００内での具体的な位置に関しては後述する。
【００６５】
また、図４に示すように、本体２００の内部には、制御ユニット２０４が設けられている。この制御ユニット２０４は、リモートコントローラ５００、人体検知センサ２０１および着座センサ２０２から送信される信号に基づいて、衛生洗浄装置１００の各部の動作を制御する。本実施の形態では、制御ユニット２０４は、メイン制御部２０４ａ、サブ制御部２０４ｂ，２０４ｃから構成されている。
【００６６】
制御ユニット２０４による制御の一例について説明すると、例えば、トイレ室に使用者が存在しない場合には、制御ユニット２０４は、便座４００内の便座ヒータへの通電を停止もしくは２０℃程度の低温に保温している。トイレ室に使用者が入室すると、制御ユニット２０４は、人体検知センサ２０１からの信号を受けて便座ヒータに通電を行う。便座ヒータは８００Ｗ程度の非常に高出力のヒータであり、使用者がトイレ室に入室してから便座４００に着座するまでの６秒から１０秒程度の間に、便座４００の着座面を４０℃程度の適温に温める。便座４００が適温に達した後には、制御ユニット２０４は、便座ヒータへの通電を５０Ｗ程度の低ワットに下げ、適温を保つ。使用者がトイレ室から出ると、制御ユニット２０４は、便座ヒータへの通電を停止もしくは２０℃程度の低温保温とする。このように、本実施の形態に係る衛生洗浄装置１００は、制御ユニット２０４により、トイレ室に使用者がいないときの電力を大幅に削減できるように制御されている。
【００６７】
さらに、図示されない便座便蓋開閉ユニットは、前述したように、便蓋３００および便座４００を自動的に開閉させるものであり、便蓋３００および便座４００の回動軸を電動で回転させることで、これらを回動する便座便蓋回動機構として構成されている。
【００６８】
［機能ユニットの位置関係］
次に、前記構成の衛生洗浄装置１００において、本体２００内の各機能ユニット等の位置関係について、図２ないし図４を参照して具体的に説明する。
【００６９】
前述したように、本体２００の内部には、機能ユニットとして、給水ユニット１０１、熱交換器１０２、洗浄ノズルユニット１０３、脱臭ユニット１０５、乾燥ユニット７００、制御ユニット２０４、便座便蓋開閉ユニット等が設けられている。
【００７０】
このうち、洗浄ノズルユニット１０３は、衛生洗浄装置１００において最も重要な機能ユニットの一つであり、便座４００に着座した使用者の局部を洗浄するために、お尻洗浄ノズル１０３ａおよびビデノズル１０３ｂを本体２００の外に突出させる必要がある。また、お尻洗浄ノズル１０３ａおよびビデノズル１０３ｂは、局部まで届く程度の長さを有しているので、本体２００の内部では、当該本体２００の大型化を回避する上で、お尻洗浄ノズル１０３ａおよびビデノズル１０３ｂを傾斜して配置させることになる。それゆえ、基本的に、洗浄ノズルユニット１０３は、本体２００の中央部に配置される。これにより、ノズル進出口１０３ｃは、本体２００の前側下部の中央に位置する。
【００７１】
ここで、エアポンプ１０４は、前述したように、洗浄水に空気を混入させるものであるため、洗浄ノズルユニット１０３に近接して配置されることが好ましい。本実施の形態では、図２ないし図４に示すように、洗浄ノズルユニット１０３の右側（図面上では向かって左側）に設けられている。
【００７２】
また、給水ユニット１０１は、本体２００の外部から内部に洗浄水を給水するための機能ユニットであるため、本体２００の左右いずれかの端部に配置しなければならない。本実施の形態では、給水ユニット１０１は、右端部（図面上では向かって左側）に設けられているが、左端部でもよい。
【００７３】
また、便座便蓋開閉ユニットは、本体２００の上方で回動可能に設けられる便蓋３００および便座４００を開閉させるものであるため、本体２００の上寄りに設けられることが好ましい。本実施の形態では、給水ユニット１０１および洗浄ノズルユニット１０３の間となる右寄り上方の空間に設けられている（図面上では向かって左上方の空間）。
【００７４】
また、脱臭ユニット１０５は、便器６００内の排便臭を除去する観点から、できれば本体２００の中央部に設けることが好ましい。しかしながら、前記のとおり中央部には洗浄ノズルユニット１０３を優先して設ける必要があること、並びに、便器６００内の排便臭を吸い込む吸込口１０５ａを、本体２００の前側下部において中央部にできるだけ近い位置に設けることができれば、当該脱臭ユニット１０５そのものの位置を制限する条件はほとんどない。それゆえ、脱臭ユニット１０５は、本実施の形態では、本体２００の左端部（図面上では向かって右側）に設けられ、吸込口１０５ａのみがダクトにより中央部よりに設けられている。
【００７５】
ここで、熱交換器１０２および制御ユニット２０４の寸法は、他の機能ユニットに比べると相対的に小さい。それゆえ、本体２００の形状を考慮して、優先すべき他の機能ユニットを配置させてから、空いている残りの空間に適宜配置させることができる。例えば、本実施の形態では、熱交換器１０２は、本体２００の左寄り後部（図面上では向かって右寄り後部）に設けられ、前方に乾燥ユニット７００が位置している。また、制御ユニット２０４は、図４に示すように、洗浄ノズルユニット１０３、乾燥ユニット７００、熱交換器１０２の上方の空間に配置されている。
【００７６】
本実施の形態では、衛生洗浄装置１００が乾燥ユニット７００を備えているが、この乾燥ユニット７００は、使用者の局部に温風を吹出する必要があるため、やはり本体２００の中央部に位置することが好ましい。しかしながら、前記のとおり中央部には洗浄ノズルユニット１０３を優先して設ける必要があるので、基本的には、洗浄ノズルユニット１０３に隣接させて中央部よりの位置に設けられる。本実施の形態では、本体２００の中央部左寄り（図面上では向かって中央の右寄り）に設けられる。
【００７７】
なお、前述したとおり、脱臭ユニット１０５においては吸込口１０５ａの位置が中央部に近ければよいことから、本体２００の中央部に設けられる機能ユニットの優先順位は、高い順から、洗浄ノズルユニット１０３、乾燥ユニット７００、および脱臭ユニット１０５となる。
【００７８】
このように、乾燥ユニット７００は、本体２００の中央部に近いものの、中央部から左右に寄った位置に設けられざるを得ない。したがって、乾燥ユニット７００が備える可動ノズル７０３は、洗浄ノズルユニット１０３の側方に位置する収納位置（後述）から、中央部の前側下方に向かって斜めとなる乾燥位置（後述）に向かって突出するよう構成されている。また、可動ノズル７０３に設けられている吹出口７０３ｅも、中央部に向かって温風を吹き出すことができるような独自の形状を有している。この点については後述する。
【００７９】
なお、給水ユニット１０１、熱交換器１０２、洗浄ノズルユニット１０３、脱臭ユニット１０５、乾燥ユニット７００、制御ユニット２０４、および便座便蓋開閉ユニット等の具体的な構成については特に限定されず、乾燥ユニット７００が備える可動ノズル７０３等の独自の構成（後述）を除けば、公知の各種の構成が好適に用いられる。
これらユニットの具体的な構成は特に限定されない
［乾燥ユニットの全体構成］
次に、本実施の形態における乾燥ユニット７００の具体的な構成について、図５ないし図８を参照して具体的に説明する。図５は、乾燥ユニット７００の外観構成の一例を示す斜視図であり、図６および図７は、乾燥ユニット７００の概略断面図である。このうち、図６は可動ノズル７０３が収納位置にある状態を示し、図７は可動ノズル７０３が乾燥位置にある状態を示している。また、図８は、図７に示す乾燥ユニット７００のＡＡ線矢視断面図である。また、図９は、乾燥ユニット７００が備えるヒータユニット７０８の構成の一例を示す斜視図であり、ヒータユニット７０８を後方から見た図である。
【００８０】
図４ないし図６に示すように、乾燥ユニット７００は、ケース７０１、固定ノズル７０２、可動ノズル７０３、駆動モータ７０４、ギア機構７０５、ヒータユニット７０８、ファンモータ７０９、サーミスタ７１０等により構成されている。
【００８１】
乾燥ユニット７００の外装となるケース７０１は、図５に示すように、本実施の形態では、例えば難燃性樹脂により成形された上ケース７０１ａと下ケース７０１ｂとを上下に結合した構成となっている。
【００８２】
図６および図７に示すように、ケース７０１は、内部に略トンネル状の空洞部が形成された構成となっており、前後端には空気流の出入口となる開口が設けられている。このうち、空気流の入口となる側は後端開口７０１ｃであって、空気流の出口となる側は前端開口７０１ｄである。また、前端開口７０１ｄの近傍はケース７０１の前端部であるとともに固定ノズル７０２となっている。
【００８３】
ケース７０１の内部には、後端開口７０１ｃから前端開口７０１ｄに向かって順に、ファンモータ７０９、ヒータユニット７０８、サーミスタ７１０、可動ノズル７０３が設けられている。後端開口７０１ｃの近傍であるケース７０１の後端部は、ヒータユニット７０８およびファンモータ７０９を配置するために、前端部（固定ノズル７０２）よりも内径が大きく設定されている。それゆえ、ケース７０１は、後端開口７０１ｃから前方に向かって断面積が小さくなるように収束し、前端部は一定の断面積を有する筒状の固定ノズル７０２となっているので、その全体形状は漏斗状であると見なすことができる。
【００８４】
ファンモータ７０９は、ケース７０１のトンネル状の空洞部内で空気流を形成するための送風機であり、ファンモータ７０９の動作により後端開口７０１ｃからケース７０１内に空気が導入され、前端開口７０１ｄに向かって空気流が送風される。ファンモータ７０９の前側にはヒータユニット７０８が設けられているので、当該空気流はヒータユニット７０８により暖められることにより、温風が形成される。つまり、ヒータユニット７０８は、空気流を加熱する加熱器となっている。
【００８５】
形成された温風は、サーミスタ７１０および可動ノズル７０３の内部を通過して、可動ノズル７０３の先端部に設けられる吹出口７０３ｅから吹き出される（あるいは噴出される）。ここで、ケース７０１は漏斗状であることから、後端開口７０１ｃから導入された空気流は可動ノズル７０３を通過するまで集約されて高速化する。それゆえ、吹出口７０３ｅから吹き出される温風は付勢されて局部に当てられることになる。また、サーミスタ７１０は、温度検知器であり、前述した制御ユニット２０４に温度情報を信号として出力する。制御ユニット２０４は、サーミスタ７１０で検知された温度に基づいて乾燥ユニット７００における温風温度の制御を行う。
【００８６】
ケース７０１の後端部を基準とすれば、前端部すなわち固定ノズル７０２は、後部より前部が下がるように下側に傾斜している。これは、乾燥ユニット７００を本体２００内に設けたときに、前端開口７０１ｄが本体２００の前側下部に位置させるためである。固定ノズル７０２は、本実施の形態では、その断面形状が略長方形の筒状であり、その下方の内面は傾斜面７０２ａとなっている。それゆえ、傾斜面７０２ａを形成する固定ノズル７０２の下壁部は傾斜部と見なすことができる。
【００８７】
固定ノズル７０２は、図６に示すように、内部に可動ノズル７０３を収納可能としており、この位置を可動ノズル７０３の収納位置と称する。また、可動ノズル７０３は、後述するように、固定ノズル７０２の内部で摺動自在に設けられ、図７に示すように、前端開口７０１ｄから固定ノズル７０２の外部に進出可能となっている。この進出した位置は、便器６００内で便座４００に着座した使用者の局部に、当該可動ノズル７０３の前端部が面した位置に相当し、可動ノズル７０３の乾燥位置と称する。なお、本実施の形態では、固定ノズル７０２および可動ノズル７０３により乾燥ノズルが構成される。
【００８８】
固定ノズル７０２における傾斜面７０２ａの最上部、すなわち、固定ノズル７０２の後端側でヒータユニット７０８が設けられている位置に隣接する部位には、傾斜面７０２ａに連接して、当該傾斜面７０２ａよりも傾斜の緩やかな平坦面７０２ｃが設けられている。つまり、固定ノズル７０２は、その前端部が下方となるように傾斜した状態で本体２００内に設けられている。そして、固定ノズル７０２の後端部の下内面は、当該固定ノズル７０２そのものの傾斜角（つまり傾斜面７０２ａの傾斜角）よりも小さな傾斜角を有する平坦面７０２ｃとなっている。この平坦面７０２ｃを形成する固定ノズル７０２の後端側下壁部は平坦部と見なすことができる。
【００８９】
この平坦面７０２ｃには、本実施の形態では、その略中央となる位置に、上方に突出した略円筒状の突起部７０２ｄが設けられている。そして、この突起部７０２ｄの略中央にはサーミスタ７１０が取り付けられている。通常、サーミスタ７１０の温度測定部は外郭を金属で形成されているが、この構成を採用することによって、仮に固定ノズル７０２に洗浄水または尿等の水性液体が流れ込んだ場合であっても、平坦面７０２ｃに流れ落ちた水性液体がサーミスタ７１０へ接触するおそれを有効に回避することができる。
【００９０】
また、サーミスタ７１０は温度検知器であるため、加熱器であるヒータユニット７０８の下流となる位置に設けられている必要がある。ここで平坦面７０２ｃはヒータユニット７０８の下流であり、かつ、傾斜した固定ノズル７０２とヒータユニット７０８との接続部に相当する。サーミスタ７１０を設けるための特別な部位を形成しなくても、傾斜面７０２ａの後方側を平坦面７０２ｃとするだけでサーミスタ７１０を設けることができるので、乾燥ユニット７００の大型化を抑制することができる。また、平坦面７０２ｃは、傾斜面７０２ａより緩やかに傾斜しているので、固定ノズル７０２内に水性液体が勢いよく流入したとしても、固定ノズル７０２内に露出したサーミスタ７１０は、水性液体の流入方向より下方に位置することになるので、当該水性液体がサーミスタ７１０にかかるおそれを有効に抑制することができる。なお、後述するが、可動ノズル７０３は、収納位置にあるときに、その後端がサーミスタ７１０に接触しないように構成されている。
【００９１】
本実施の形態においては、可動ノズル７０３の前端部に設けられた吹出口７０３ｅは、後記に詳述するが、上方に向いて開口していることに加え、吹出口７０３ｅに連続して複数の切り欠き部が設けられている。それゆえ、使用時に可動ノズル７０３内に前記水性液体が浸入する可能性がある。
【００９２】
また、衛生洗浄装置１００は使用中に尿や便で汚れることから、清掃のために突出部材（お尻洗浄ノズル１０３ａ、ビデノズル１０３ｂ、可動ノズル７０３）およびその周辺を水洗いすることが必要であるが、突出部材の中でも可動ノズル７０３は、送風を目的とするために吹出口７０３ｅの開口面積が相対的に大きく、かつ、切り欠き部を有しているため、さらに一層開口面積が大きくなる。また可動ノズル７０３の断面積もお尻洗浄ノズル１０３ａ等に比べれば広く構成されている。それゆえ、清掃時の洗浄水が可動ノズル７０３および固定ノズル７０２内を通ってサーミスタ７１０、ヒータユニット７０８、あるいはファンモータ７０９近辺にまで到達するおそれがある。
【００９３】
このうち、サーミスタ７１０に水性液体が付着すれば、検知される温度に誤差が発生し、設定温度を超える高温の温風が吹出口７０３ｅから吹き出す可能性が生じる。また、ヒータユニット７０８またはファンモータ７０９に水性液体が付着した場合には、錆を発生させたり故障の原因となったりするおそれがある。
【００９４】
これに対して、本実施の形態では、平坦面７０２ｃを形成することで、水性液体が乾燥ユニット７００の後端側に侵入しにくくなる。それゆえ、サーミスタ７１０で検知される温度に誤差が発生するおそれを抑制でき、また、ヒータユニット７０８またはファンモータ７０９への影響を回避することができる。特に、サーミスタ７１０に関しては、平坦面７０２ｃに突起部７０２ｄを設けて、この突起部７０２ｄにサーミスタ７１０を配置することで、水性液体への接触をより好適に回避することができる。
【００９５】
なお、本実施の形態では、固定ノズル７０２の後端部に、傾斜面７０２ａにつながる平坦面７０２ｃを設けているが、本発明はこれに限定されず、少なくともサーミスタ７１０等の温度検知器が、固定ノズル７０２の後端部において、当該固定ノズル７０２内に可動ノズル７０３が収納された状態（収納位置にある状態）で、可動ノズル７０３の内部に露出する位置に設けられていればよい。これにより、傾斜面７０２ａの最上方に温度検知器が位置することになるので、この構成だけでも水性液体による影響を有効に回避することができる。まら、サーミスタ７１０は、可動ノズル７０３が収納位置にあっても乾燥位置にあっても、温風の通路内に露出していることになるので、温風の温度をより一層適切に検出し、乾燥ユニット７００の動作をより適切に制御することができる。
【００９６】
また、本実施の形態では、図８に示すように、固定ノズル７０２と可動ノズル７０３との間に溝状間隙７０２ｅが設けられることがより好ましい。具体的には、図８の断面図に示すように、傾斜面７０２ａには、例えば高さ約０．５ｍｍの摺動面リブ７０２ｂが傾斜方向に沿って線状に設けられ、これにより、可動ノズル７０３と固定ノズル７０２との間に溝状間隙７０２ｅが形成される。この溝状間隙７０２ｅの存在により、固定ノズル７０２と可動ノズル７０３との接触面積が小さくなり、固定ノズル７０２内での可動ノズル７０３の摺動抵抗を軽減することができる。さらに、固定ノズル７０２内に侵入した水性液体が溝状間隙７０２ｅを流れ、前端開口７０１ｄから排出されやすくなる。
【００９７】
なお、溝状間隙７０２ｅの具体的構成はこれに限定されず、傾斜面７０２ａに摺動面リブ７０２ｂを設けるのではなく、可動ノズル７０３の下方の外面（本実施の形態では、略平坦な裏面７０３ｍ、図１１参照）に同様のリブを設けてもよいし、傾斜面７０２ａおよび裏面７０３ｍの双方にリブを設けてもよい。また、摺動面リブ７０２ｂ以外の突起部により実現されてもよいし、傾斜面７０２ａに溝が刻まれたり、逆に可動ノズル７０３の裏面７０３ｍに溝が刻まれたりする構成であってもよい。すなわち、本発明においては、固定ノズル７０２内に可動ノズル７０３が収納された状態で、当該可動ノズル７０３の下方外面（裏面）と固定ノズル７０２の下内面（傾斜面７０２ａ）との間には、サーミスタ７１０等の温度検知器が設けられている位置から固定ノズル７０２の後端部（前端開口７０１ｄ）に達する溝状の間隙が設けられていればよい。
【００９８】
また、本実施の形態における乾燥ユニット７００の具体的構成は、後述する可動ノズル７０３の基本構成を除いて前述した構成に限定されない。例えば、乾燥ユニット７００はファンモータ７０９、ヒータユニット７０８およびサーミスタ７１０を備える構成に限定されず、例えば、ファンモータ７０９に代えて他の送風機を用いてもよいし、サーミスタ７１０に代えて他の温度検知器を用いてもよい。
【００９９】
ここで、本実施の形態においては、ヒータユニット７０８は過熱防止器を一体的に備えているとより好ましい。過熱防止器とは、空気流を加熱する温度が過剰に上昇することを回避または防止する手段（温度過昇防止手段）であり、ヒータユニット７０８とは別体の独立した部材として設けられてもよいが、ヒータユニット７０８と一体化することで、乾燥ユニット７００のより小型化を図ることができる。
【０１００】
本実施の形態におけるヒータユニット７０８は、図９に示すように、約３４０Ｗの螺旋状のヒータ線７０８ａが、外郭となるカバーマイカ７０８ｄ内に設けられている。言い換えれば、カバーマイカ７０８ｄはヒータユニット７０８の筐体として機能している。さらに、カバーマイカ７０８ｄ内には、１１３℃で動作する温度ヒューズ７０８ｂと９４℃で動作するサーモスタット７０８ｃとが取り付けられている。
【０１０１】
なお、ヒータ線７０８ａは、空気流を加熱する実体的な加熱器（加熱手段）であるが、前記のとおり、ヒータ線７０８ａは、温度ヒューズ７０８ｂおよびサーモスタット７０８ｃとともにカバーマイカ７０８ｄに取り付けられることで、実質的に一体化している。そこで、本実施の形態では、ヒータユニット７０８全体を広義の加熱器と定義し、ヒータ線７０８ａを狭義の加熱器と定義する。
【０１０２】
螺旋状に形成されたヒータ線７０８ａは、カバーマイカ７０８ｄの内部において、その外周に近い位置に設けられ、ヒータ線７０８ａの螺旋の内部には、基板状の取付部材７０８ｅを介して温度ヒューズ７０８ｂおよびサーモスタット７０８ｃが設けられている。温度ヒューズ７０８ｂは、図９に示すように、カバーマイカ７０８ｄにおける後方、すなわちファンモータ７０９に近い位置に配置され、カバーマイカ７０８ｄの前方にサーモスタット７０８ｃが配置されている。なお、ヒータ線７０８ａ、温度ヒューズ７０８ｂおよびサーモスタット７０８ｃは電気的に直列に接続されている。
【０１０３】
温度ヒューズ７０８ｂおよびサーモスタット７０８ｃは、いずれも過熱防止器であって、カバーマイカ７０８ｄの内部の温度が過剰に上昇しているか否かを検知するものである。また、サーモスタット７０８ｃは復帰型の過熱防止器である一方、温度ヒューズ７０８ｂは非復帰型の過熱防止器である。このように、過熱防止器として、サーモスタット７０８ｃおよび温度ヒューズ７０８ｂが併用されていれば、過熱防止器を二重に設けていることなるので、信頼性をより好適なものとすることができる。
【０１０４】
例えば、ファンモータ７０９が故障してロック状態となったとすれば、空気流が形成されないことからヒータユニット７０８の内部温度が過剰に上昇する。このとき、まず第１のステップとして、復帰型の過熱防止器であるサーモスタット７０８ｃが先に作動してヒータ線７０８ａへの通電を遮断する。さらに、もしサーモスタット７０８ｃが故障等により動作しない場合には、第２ステップとして、非復帰型の過熱防止器である温度ヒューズ７０８ｂが溶断してヒータ線７０８ａへの通電を遮断する。
【０１０５】
このように、温度ヒューズ７０８ｂをサーモスタット７０８ｃよりもファンモータ７０９に近い位置に設けることにより、信頼性をより向上することができるだけでなく、先に復帰型のサーモスタット７０８ｃを動作させることができるので、非復帰型の温度ヒューズ７０８ｂの動作を抑制することができる。つまり、温度ヒューズ７０８ｂがファンモータ７０９に近い位置に設けられていれば、非復帰型の温度ヒューズ７０８ｂの温度はファンモータ７０９が正常に動作している限り、サーモスタット７０８ｃの温度より低く保たれる。それゆえ、非復帰型の温度ヒューズ７０８ｂの動作を抑制し、必要以上のメンテナンス（点検または修理等）を抑制することができる。
【０１０６】
なお、本実施の形態においては、もちろんヒータユニット７０８は前述の構成に限定されず、他の構成を採用することもできる。すなわち、本発明においては、乾燥ユニット７００は、送風機、加熱器、および過熱防止器を備え、温風の流れる方向を基準として上流側から、送風機、過熱防止器、および加熱器の順となる位置関係で設けられていればよい。
【０１０７】
［可動ノズルの構成］
次に、乾燥ユニット７００が備える可動ノズル７０３の具体的な構成の一例について、図５ないし図８に加えて、図１０および図１１を参照して詳細に説明する。図１０および図１１は、可動ノズル７０３の構成の一例を示す斜視図であり、図１０が上方からの斜視図、図１１が下方からの斜視図である。また、図１２および図１３は、乾燥ユニット７００の変形例を示す斜視図であり、図１２は、可動ノズル７０３が収納位置にある状態を示し、図１３は、可動ノズル７０３が乾燥位置にある状態を示す。
【０１０８】
可動ノズル７０３は、図１０および図１１に示すように、固定ノズル７０２の形状に対応した略直方体状の筒状となっている。可動ノズル７０３は、ケース７０１と同様に難燃性樹脂で成形され、下壁部の内面が底面７０３ａ、下壁部の外面が裏面７０３ｍ、上壁部の外面が天面７０３ｃ、両側壁部の外面が側面７０３ｂとなっており、さらに、前端側は閉塞して前端面７０３ｄが形成されている。
【０１０９】
このうち、底面７０３ａは、図８の断面図に示すように、右側（本体２００に設けられた状態での右側、図中上方）が左側（図中下方）よりも低くなるように傾斜した湾曲面として形成されている。また、図５および図１０に示すように、天面７０３ｃの前端には、温風を吹き出す吹出開口としての吹出口７０３ｅが略台形状に設けられている。また、図６、図７、および図１１に示すように、吹出口７０３ｅにつながる底面７０３ａの前端部には、内面が曲面として形成されるように曲面部７０３ｆとなっている。また、図１１に示すように、曲面部７０３ｆの右側には排水孔７０３ｇが設けられている。
【０１１０】
このように、底面７０３ａが傾斜した湾曲面となっていることで、可動ノズル７０３内を流れる温風を、中央部寄り（洗浄ノズルユニット１０３寄り）に吹き出させることができる。また、曲面部７０３ｆを備えることにより、本体２００に設けられたときに後端から前端の吹出口７０３ｅに向かって送風される温風を、斜め上方に向かって滑らかに吹き出させることが可能となり、局部に当たる温風の風量が減少するおそれを抑制することができる。さらに、前記構成の底面７０３ａおよび曲面部７０３ｆを有することで、可動ノズル７０３内に水性液体が侵入したとしても、当該水性液体は前端の排水孔７０３ｇ近傍に集まり、当該排水孔７０３ｇから容易に排出されることになる。
【０１１１】
ここで、吹出口７０３ｅの形状は特に限定されないが、図１０に示すように、略台形状であり、当該台形の上底に対応する右側の辺が短く、下底に対応する左側の辺が長くなる形状であると好ましく、さらに、吹出口７０３ｅに面する底面７０３ａに、前述した曲面部７０３ｆが設けられていることがより好ましい。
【０１１２】
便座４００に着座した使用者の局部は、本体２００の中央部から見て前方となる領域である。それゆえ、前述したとおり、局部を洗浄する機能ユニットである洗浄ノズルユニット１０３は、本体２００の中央部に配置されることが好ましい。一方、乾燥ユニット７００も局部に温風を当てる機能ユニットであるので、中央部に配置されることが好ましいが、洗浄ノズルユニット１０３に比べると、その機能の優先度は相対的に小さい。それゆえ、本実施の形態では、乾燥ユニット７００は、洗浄ノズルユニット１０３の左側（図２ないし図４では向かって右側）に配置される。それゆえ、可動ノズル７０３から吹き出される温風の風向きは、中央部寄りの右側（図２ないし図５では、向かって左側）に向かう方向に設定されることになる。
【０１１３】
本実施の形態では、吹出口７０３ｅの形状を、図１０に示すような台形状とすることで、温風の吹出方向を右側に収束することができる。それゆえ、温風の局部への指向性を高めることができるだけでなく、吹出口７０３ｅ内で左側から右側に温風が向かう過程で風路幅が狭まるため、温風の速度を上昇することになる。それゆえ、温風の局部に向けて付勢し、その指向性をより高めることができる。さらに、曲面部７０３ｆを設けていれば、本体２００の上部から前側下部に向かって流出する温風を、曲面部７０３ｆで吹出口７０３ｅの右上側に方向転換させることができるので、温風の指向性をさらに高めることができる。
【０１１４】
加えて、本実施の形態では、吹出口７０３ｅにおいて、前記右側の辺に対応する部位に、前側方切り欠き部７０３ｉが設けられているとさらに好ましい。つまり、吹出口７０３ｅにおいて、右側（洗浄ノズルユニット１０３に対向する側）の側面７０３ｂの前端となる部位は、その上端が天面７０３ｃよりも低くなる前側方切り欠き部７０３ｉとなっている。これにより、吹出口７０３ｅの右上側となる可動ノズル７０３の側壁部の上方が取り除かれていることになるので、温風の吹出が側壁部で妨げられることが抑制される。つまり、前側方切り欠き部７０３ｉを設けることで、吹出口７０３ｅ、底面７０３ａおよび曲面部７０３ｆにより中央部に向かって収束された温風は、妨げられることなく良好に吹き出すことができる。したがって、前側方切り欠き部７０３ｉは、吹出口７０３ｅの形状とともに、温風の送風方向を規定する機能を有している。
【０１１５】
しかも、底面７０３ａは、前述したように右側が下向きとなるように傾斜した湾曲面となっていることに加え、前述した曲面部７０３ｆが設けられていれば、吹出口７０３ｅから吹き出される温風は、右上側への指向性がより一層高められる。したがって、局部へ送風される温風の風量を十分なものとすることができる。なお、図３ないし図５に示されるように、可動ノズル７０３の突出方向は、本体２００の前方に向かって略垂直方向に突出するのではなく、中央部寄りとなるように右側に偏って突出することが好ましい。これにより、前述した可動ノズル７０３の各構成による作用をさらに高めることができるので、便座４００の中央部に対応する使用者の局部に向かって温風を良好に向かわせることができる。
【０１１６】
ここで、可動ノズル７０３の前端部には、乾燥位置にあるときに局部に向かって温風を吹出可能とする吹出口７０３ｅ（吹出開口）だけでなく、収納位置にあるときに、温風を当該可動ノズル７０３内から漏出可能とする漏出開口を有している。
【０１１７】
具体的には、可動ノズル７０３の前端の上面に吹出口７０３ｅが設けられているが、当該前端の端面（前端面７０３ｄ）の上部に、漏出開口としての前端切り欠き部７０３ｊが設けられている。つまり、可動ノズル７０３において、吹出口７０３ｅにおける前端面７０３ｄの上部は、その上端が天面７０３ｃより低くなる前端切り欠き部７０３ｊとなっている。この前端切り欠き部７０３ｊが設けられていれば、可動ノズル７０３が収納位置にあるときに、前端切り欠き部７０３ｊにより漏出開口が形成される。それゆえ、収納位置の可動ノズル７０３の内部と外部とを通気可能とすることができる。
【０１１８】
通常、乾燥ユニット７００の可動ノズル７０３は、使用時に乾燥位置まで突出するため、吹出口７０３ｅは十分に開口しており、それゆえ、温風が滞ることはない。ところが、非使用時には、可動ノズル７０３は固定ノズル７０２内に収納されているので、前端切り欠き部７０３ｊが設けられていなければ、吹出口７０３ｅが閉塞されてしまう。仮に、ヒータユニット７０８とファンモータ７０９が動作して温風の送付が開始されたときに可動ノズル７０３が収納位置にあれば、当該可動ノズル７０３内で温風が滞り、内部の温度が過剰に上昇するおそれがある。この場合、ファンモータ７０９が熱の影響で大きく受ける可能性があり、また、難燃性樹脂で成形されているとはいえ、ケース７０１（固定ノズル７０２を含む）および可動ノズル７０３も熱の影響を大きく受けるおそれがある。
【０１１９】
これに対して、本実施の形態では、前端切り欠き部７０３ｊを設けることにより、可動ノズル７０３が収納位置にあっても、その内外を連通する漏出開口を形成することができる。それゆえ、温風が内部で滞ることが回避される。また、この状態においては、過熱防止器である温度ヒューズ７０８ｂおよびサーモスタット７０８ｃは動作することがない。これにより、過熱防止器の動作が非常に低い頻度に抑えられるので、乾燥ユニット７００の動作が停止する可能性も非常に低くすることができる。
【０１２０】
また、前端切り欠き部７０３ｊは、可動ノズル７０３の前端面７０３ｄにおいて、吹出開口である吹出口７０３ｅに連続した切り欠き部として設けられている。それゆえ、可動ノズル７０３の製造時に、吹出口７０３ｅとは独立した開口を別途設ける必要がなく、可動ノズル７０３の構成を簡素化でき、かつ、可動ノズル７０３の製造過程の煩雑化も回避することができる。
【０１２１】
さらに、前述した前側方切り欠き部７０３ｉは、温風の送風方向を規定する機能だけでなく、前端切り欠き部７０３ｊとともに漏出開口としての機能も発揮することができる。例えば、前側方切り欠き部７０３ｉは、可動ノズル７０３が収納位置にあれば、基本的には、大部分が固定ノズル７０２により覆われてしまう。しかしながら、図１０に示されるように、前側方切り欠き部７０３ｉと前端切り欠き部７０３ｊとは、天面７０３ｃを基準とした切り欠きの程度は異なるものの、互いに連続して一体的な切り欠き部を形成していることになる。したがって、前側方切り欠き部７０３ｉも機能は小さいものの漏出開口としての機能を発揮することができる。また、一体的な切り欠き部として構成されることで、可動ノズル７０３の構成を簡素化することも可能である。
【０１２２】
加えて、本実施の形態においては、図１２および図１３に示すように、固定ノズル７０２の前端右上側のコーナー部に前側方開口部７０２ｆを設けることもできる。この構成であれば、図１４に示すように、可動ノズル７０３が収納位置にあっても、前側方開口部７０２ｆの位置と前側方切り欠き部７０３ｉの位置とが一致するので、有効な開口面積を有する漏出開口を形成することができる。この場合、前端切り欠き部７０３ｊは設けなくてもよい。また、図１５に示すように、可動ノズル７０３が乾燥位置まで進出すれば、当該可動ノズル７０３の側面７０３ｂによって前側方開口部７０２ｆが閉鎖される。したがって、前側方開口部７０２ｆから温風が漏れることがなく、良好に温風を吹き出すことができる。
【０１２３】
なお、吹出開口であるとともに温風の送風方向を規定する手段でもある吹出口７０３ｅと、漏出開口を構成する前端切り欠き部７０３ｊと、温風の送風方向を規定する手段であるとともに漏出開口でもある前側方切り欠き部７０３ｉの具体的な構成は特に限定されない。
【０１２４】
例えば、本実施の形態では、前端切り欠き部７０３ｊおよび固定ノズル７０２の内周面で形成される漏出開口の開口面積は、吹出口７０３ｅの開口面積より小さければよく、好ましくは３０％以下であればよい。漏出開口の開口面積が３０％以下であれば、前端切り欠き部７０３ｊが過剰に大きくなることが抑制され、それゆえ、可動ノズル７０３の前端面７０３ｄ（前端の壁部）を、温風を中央部寄りに規制できる程度の面積とすることができる。
【０１２５】
また、前側方切り欠き部７０３ｉは、送風方向を規定する機能を優先することから、図１０に示すように、前端切り欠き部７０３ｊよりも、天面７０３ｃを基準とした切り欠きの程度が大きいものとなっているが、固定ノズル７０２、可動ノズル７０３、および吹出口７０３ｅ等の構成によっては、同等に切り欠かれてもよいし、前端切り欠き部７０３ｊの方が大きく切り欠かれてもよい。あるいは、本実施の形態では、切り欠きの程度は異なっていても、前側方切り欠き部７０３ｉおよび前端切り欠き部７０３ｊが連続して一体的な切り欠き部を構成しているが、前側方切り欠き部７０３ｉおよび前端切り欠き部７０３ｊは、それぞれ単独の切り欠き部として構成されてもよい。
【０１２６】
加えて、本実施の形態では、少なくとも前端切り欠き部７０３ｊと固定ノズル７０２の内周面とで漏出開口が構成されるが、漏出開口の構成はこれに限定されず、可動ノズル７０３の前端面７０３ｄを貫通する形で独立した漏出開口が設けられてもよいし、図１４および図１５に示す変形例の構成で、前端切り欠き部７０３ｊを敢えて設けずに、前側方切り欠き部７０３ｉおよび前側方開口部７０２ｆのみによって漏出開口を構成してもよい。つまり、本発明においては、漏出開口は、可動ノズル７０３が固定ノズル７０２に収納された収納位置にあるときに、漏出開口が温風を可動ノズル７０３内から漏出可能となるように設けられていれば、その具体的な構成は特に限定されない。
【０１２７】
また、可動ノズル７０３の左側の側面７０３ｂには、略全長に亘ってラック７０３ｋが形成されている。このラック７０３ｋにはピニオンギア７０５ａが噛合されている。ピニオンギア７０５ａはギア機構７０５の一部であり、このギア機構７０５は駆動モータ７０４とともに、可動ノズル７０３を進退駆動させる乾燥ノズル駆動機構（進退駆動機構）を構成している。これらは、ケース７０１におけるラック７０３ｋに対向する位置に設けられている。
【０１２８】
駆動モータ７０４は正逆回転可能な直流モータであり、駆動モータ７０４の回転は複数のギアで構成されたギア機構７０５により減速されてピニオンギア７０５ａに伝達される。そして、ピニオンギア７０５ａはラック７０３ｋに噛合されているので、駆動モータ７０４が回転することにより、可動ノズル７０３を固定ノズル７０２内で摺動させることが可能になり、それゆえ、可動ノズル７０３が進退移動する。
【０１２９】
また、図１０に示すように、ラック７０３ｋが設けられている左側の側面７０３ｂとは反対側の右側の側面７０３ｂには、裏面７０３ｍに近い位置に側方リブ７０３ｎが設けられていると好ましい。これにより、固定ノズル７０２内での可動ノズル７０３の摺動をより滑らかなものとすることができる。
【０１３０】
また、図１１に示すように、可動ノズル７０３の裏面７０３ｍには、後端より前方に向かって略Ｕ字状に切り込んだＵ字切り込み部７０３ｈが設けられている。これにより、可動ノズル７０３が固定ノズル７０２に収納された状態（収納位置）において、図６に示すように、平坦面７０２ｃの突起部７０２ｄに設けられたサーミスタ７１０が可動ノズル７０３内に露出することができる。
【０１３１】
ここで、もし可動ノズル７０３が乾燥位置にある状態で、例えば、局部または臀部に付着した洗浄水が可動ノズル７０３に落下したり、あるいは、この状態で誤って使用者が放尿をしたり、また清掃の最に可動ノズル７０３に水をかけてしまった場合、可動ノズル７０３の内部に侵入した水性液体は曲面部７０３ｆに設けられた排水孔７０３ｇより便器６００内に排水されるが、大量の水性液体が可動ノズル７０３にかけられた場合には、当該可動ノズル７０３の奥の方まで浸入するおそれがあり、また、る可動ノズル７０３の裏面７０３ｍが濡れた状態で固定ノズル７０２内に収納されるおそれがある。
【０１３２】
これに対して、可動ノズル７０３の後端にＵ字切り込み部７０３ｈが設けられていれば、濡れた状態にある可動ノズル７０３の内部も濡れた裏面７０３ｍも、サーミスタ７１０の上方に位置することが回避される。そのため、可動ノズル７０３に侵入した水性液体がサーミスタ７１０に付着するおそれが抑制され、サーミスタ７１０の温度検知の精度を向上することができる。したがって、制御ユニット２０４によって、安定した温風温度の実現を図ることができる。
【０１３３】
ここで、Ｕ字切り込み部７０３ｈの具体的構成は特に限定されず、可動ノズル７０３の後端部において、当該可動ノズル７０３が固定ノズル７０２内に収納されたときに、サーミスタ７１０等の温度検知器が可動ノズル７０３内に露出できる長さとなるように、前側に切り込まれた切り込み部となっていればよい。したがって、Ｕ字状ではなくＶ字状に切り込まれた構成であってもよいし、他の形状に切り込まれた構成であってもよい。
【０１３４】
本実施の形態では、前述した機能ユニットの位置関係で説明したように、乾燥ユニット７００は、可能な限り本体２００の中央部に近い位置に設けられることが好ましく、それゆえ、本体２００内で中央部に設けられる優先度が最も高い洗浄ノズルユニット１０３に隣接して設けられることが好ましい。したがって、本実施の形態において用いられる可動ノズル７０３は、前述した台形状の吹出口７０３ｅ、前側方切り欠き部７０３ｉ、湾曲して傾斜した底面７０３ａ、吹出口７０３ｅ近傍に設けられる曲面部７０３ｆを有していることが特に好ましい。
【０１３５】
なお、本実施の形態の構成においては、乾燥ユニット７００が洗浄ノズルユニット１０３の左側に設けられていることから、可動ノズル７０３は、温風を中央部寄りとなる右側に偏らせる構成を採用しているが、本発明はもちろんこれに限定されず、乾燥ユニット７００が洗浄ノズルユニット１０３の右側に設けられていれば、可動ノズル７０３は、温風を中央部寄りとなる左側に偏らせる構成を採用すればよい。
【０１３６】
［衛生洗浄装置の動作］
次に、前述した構成の衛生洗浄装置１００の動作の一例について、さらに図１４を参照して具体的に説明する。図１４は、衛生洗浄装置１００が乾燥動作を開始するときの可動ノズル７０３の進出位置に対して、ヒータユニット７０８への通電率および温風温度の関係を示すタイムチャートである。図１４の縦軸は、上から可動ノズル７０３の（進出）位置、ヒータユニット７０８への通電率および温風温度であり、横軸は経過時間である。
【０１３７】
まず、使用者がトイレ室に入室すると、まず人体検知センサ２０１が人体を検知すれば、制御ユニット２０４の制御により、便座便蓋開閉ユニットにより便蓋３００が自動的に開くとともに、便座４００に内蔵される便座ヒータへの通電が開始される。これにより、便座４００の暖房が開始され、便座４００の温度が設定の温度となるまで昇温する。また、着座センサ２０２が便座４００に着座した使用者を検知すれば、制御ユニット２０４の制御により、洗浄ノズルユニット１０３および乾燥ユニット７００がリモートコントローラ５００で操作可能となる。
【０１３８】
使用者が用便を終了した後に、リモートコントローラ５００を操作して洗浄動作を開始させれば、制御ユニット２０４の制御により、洗浄ノズルユニット１０３のお尻洗浄ノズル１０３ａが本体２００より進出し、洗浄水を噴出させて使用者の局部を洗浄する。その後、使用者がリモートコントローラ５００を操作して洗浄を終了させれば、制御ユニット２０４の制御により、局部の洗浄が終了し、お尻洗浄ノズル１０３ａは本体２００内に収納される。
【０１３９】
次に、使用者がリモートコントローラ５００を操作して乾燥動作を開始させると、制御ユニット２０４により、ビデノズル１０３ｂの進出が開始され、当該ビデノズル１０３ｂによりノズルシャッター２０３が開けられる。これに引き続いて、乾燥ユニット７００のヒータユニット７０８、ファンモータ７０９および駆動モータ７０４に通電が開始される。その後、制御ユニット２０４は、サーミスタ７１０で検知された温度データにより、使用時の室温を判断し、当該室温に対応して設定されたヒータユニット７０８への通電率を決定する。なお、この通電率を設定通電率と称する。
【０１４０】
そして、制御ユニット２０４は駆動モータ７０４を駆動し、図１４の上段に示すように、可動ノズル７０３を収納位置から進出させる動作を開始する。これにより、可動ノズル７０３は、開いた状態にあるノズルシャッター２０３の下方から便器６００の中央に向かって右斜め方向に傾いて進出を開始する。ここで、制御ユニット２０４は、可動ノズル７０３の吹出口７０３ｅがノズルシャッター２０３の下方を通過する途中で、ヒータユニット７０８とファンモータ７０９への通電を開始する。これによって温風の送風が開始される。
【０１４１】
本実施の形態では、通電を開始した直後では、前記設定通電率の１５０％の通電率でヒータユニット７０８に通電する。例えば、室温が１０℃である時の設定通電率が５０％に設定されていれば、消費電力は約１５０Ｗとなるので、通電の開始直後の消費電力は２２５Ｗとなる（図１４の中段参照）。それゆえ、制御ユニット２０４は、図１４の下段に示すように、温風の温度を短時間に上昇させる。ファンモータ７０９への通電率は、乾燥動作が終了するまで１００％に維持される。
【０１４２】
このように、本実施の形態では、使用者がリモートコントローラ５００（操作器）を操作して乾燥ユニット７００（乾燥機構）の動作を開始させたときには、制御ユニット２０４（制御器）は、進退駆動機構（駆動モータ７０４およびギア機構７０５）による可動ノズル７０３の進出を先に開始させた後に、この可動ノズル７０３が乾燥位置に達する前に、ファンモータ７０９（送風機）およびヒータユニット７０８（加熱器）の動作を開始させる制御を行う。これにより、温風の送風が開始された直後には、可動ノズル７０３内に滞留している冷たい空気または十分に暖められていない温風（まとめて冷風と称する）は、そのほとんどがノズルシャッター２０３に遮られる。これにより、冷風はノズルシャッター２０３により便器６００の下方に向かって流れることになり、使用者の局部や臀部に冷風が当たるおそれを回避することができる。
【０１４３】
また、可動ノズル７０３の吹出口７０３ｅがノズルシャッター２０３の下から突出すると、吹出口７０３ｅから温風が上方に向かって吹き出すことになる。ここで、吹出口７０３ｅからの温風は、可動ノズル７０３の進出移動の途中から使用者の臀部に当たることになる。このとき吹き出される温風の温度は、前述した冷風ではないものの設定温度より低い場合がある。しかしながら、最初に温風が当たる部位は、洗浄動作において洗浄水が付着していない臀部後方であり、また、洗浄水が付着している局部近傍に吹出口７０３ｅが面するまでには、温風は設定温度近くまで上昇している。したがって、臀部後方に相対的に低温の温風が当たっても、使用者が冷風感を感じることを回避することができる。
【０１４４】
次に、可動ノズル７０３の進出移動の途中で、サーミスタ７１０により検知された温風温度が、設定温度である７５℃より１０℃低い６５℃に到達すると、制御ユニット２０４はヒータユニット７０８への通電率を、設定通電率である１００％まで５０％下げて通電を継続する。これにより、温風の温度上昇は、設定温度まで緩やかに到達することになる。それゆえ、温風温度は、が設定温度以上にオーバーシュートしないように制御される。また、サーミスタ７１０が設定温度である７５℃を検知した後は、当該サーミスタ７１０は、温風温度を常時検知し、制御ユニット２０４は設定温度の７５℃を維持するようにヒータユニット７０８への通電を制御する。
【０１４５】
なお、本実施の形態においては、ヒータユニット７０８に対する通電の制御は、通電開始から設定温度に到達するまでは位相制御で行い、設定温度に到達した後は、ＯＮ／ＯＦＦ制御で行っている。
【０１４６】
次に、可動ノズル７０３が乾燥位置に到達すると駆動モータ７０４は停止し、可動ノズル７０３の吹出口７０３ｅから、洗浄により濡れた局部に向かって温風の吹き出しが継続される。ここで、乾燥位置で温風の吹き出しが継続している状態で、使用者がリモートコントローラ５００を操作することにより、可動ノズル７０３を周期的に前後移動させることができる。これにより広い範囲の乾燥が可能となるとともに乾燥効率を高めることができる。また、特定の部位に温風が集中して当たることが回避されるので、人体の一部が局部的に熱くなることを防ぐことができ、快適性を向上することができる。
【０１４７】
その後、使用者がリモートコントローラ５００で乾燥を終了させる操作をすれば、制御ユニット２０４は、ファンモータ７０９およびヒータユニット７０８への通電を停止するとともに、駆動モータ７０４を逆方向に回転させる。これにより、温風の送風が停止するともに可動ノズル７０３は固定ノズル７０２内へ後退する。その後、可動ノズル７０３が収納位置に到達すると駆動モータ７０４は停止する。このとき、可動ノズル７０３の前端が本体２００の前面より後退した時点で、ノズルシャッター２０３が自重で閉じ、可動ノズル７０３を隠蔽することになる。
【０１４８】
もし、可動ノズル７０３が、乾燥位置に突出した時点でファンモータ７０９およびヒータユニット７０８への通電を開始すれば、通電開始の直後には、乾燥ユニット７００の内部に滞留している冷たい空気が使用者の局部または臀部に向かって吹き出される。また、滞留した冷たい空気が放出された後も、温風が所定の温度に到達するためには一定の時間を要する。それゆえ、使用者は、送風開始から一定時間が経過するまで、冷風感（不快感）を覚えることになる。特に、洗浄直後の局部およびその近傍の臀部には洗浄水が多く付着しているので、冷たい空気が当たると、一層強い冷風感を覚えることになる。
【０１４９】
これに対して、本実施の形態では、前述した制御を行うことにより、冷たい空気が使用者の局部また臀部に噴出されることを抑制し、送風の開始時点から快適な温度に昇温した温風を、局部または臀部に対して吹き出させている。これにより、使用者は冷風感を覚えることがなく快適に局部等の乾燥を行うことができる。
【０１５０】
ここで、本実施の形態では、制御ユニット２０４は、ファンモータ７０９およびヒータユニット７０８により形成される温風の温度が、予め設定されている乾燥値を超えない温度となるように、ヒータユニット７０８の出力を調節する制御を行っている。ここで言う乾燥値とは、本実施の形態では設定温度の７５℃であり、出力の調節は通電率の調節により行われている。
【０１５１】
また、本実施の形態では、制御ユニット２０４は、ヒータユニット７０８の動作の開始直後は、当該ヒータユニット７０８の出力を、前記乾燥値を維持する標準出力値よりも大きい起動出力値とするとともに、サーミスタ７１０で検知された温風の温度が、前記乾燥値よりも低い値として設定されている調節値に達したときには、ヒータユニット７０８の出力を、前記起動出力値から前記標準出力値に低下させる制御を行っている。ここで言う調節値とは設定温度より１０℃低い６５℃であり、標準出力値とは設定通電率（１００％の通電率）により実現される消費電力であり、起動出力値とは１５０％の通電率により実現される消費電力である。
【０１５２】
本発明における制御ユニット２０４の制御は前記構成に限定されず、それゆえ、温風の温度として設定されている乾燥値および調節値、並びに、ヒータユニット７０８（厳密にはヒータ線７０８ａ）の標準出力値および起動出力値は、前記値に特定されない。また、ヒータユニット７０８等の加熱器の出力を調節する方法も、通電率の調節に限定されず、公知の他の方法を用いることができる。
【０１５３】
なお、本実施の形態における制御の具体的な方法は特に限定されない。すなわち、本実施の形態では、制御ユニット２０４等の制御器が、使用者がリモートコントローラ５００等の操作器を操作して乾燥ユニット７００等の乾燥機構の動作を開始させたときには、乾燥機構が備える送風機および加熱器を動作させるとともに、温度検知器により検知される温度値の取得し、当該温度値を用いて前記加熱器の出力を調節する制御を行えばよく、また、送風機および加熱器の動作の前に可動ノズル７０３の進出を開始させる制御を行えばよい。
【０１５４】
（実施の形態２）
前記実施の形態１では、制御ユニット２０４が、可動ノズル７０３の進出移動を先に開始してからファンモータ７０９およびヒータユニット７０８への通電を開始する制御を行っていたが、本実施の形態では、先にファンモータ７０９およびヒータユニット７０８への通電を開始してから可動ノズル７０３の進出移動を開始させる制御を行っている。この構成について、図１５を参照して具体的に説明する。図１５は、衛生洗浄装置１００が乾燥動作を開始するときの可動ノズル７０３の進出位置に対して、ヒータユニット７０８への通電率および温風温度の関係を示すタイムチャートであり、縦軸および横軸で示される単位は図１４と同様である。
【０１５５】
本実施の形態における衛生洗浄装置の構成は、前記実施の形態１と同様であるので、その具体的な説明は省略する。本実施の形態が前記実施の形態１と異なる点は、乾燥動作において、駆動モータ７０４、ヒータユニット７０８、およびファンモータ７０９の制御シーケンスが異なる点である。
【０１５６】
本実施の形態においては、リモートコントローラ５００により乾燥動作の開始が操作されると、制御ユニット２０４は、駆動モータ７０４を動作させずに、ヒータユニット７０８およびファンモータ７０９への通電を開始する、ヒータユニット７０８への通電は実施の形態１と同様に、サーミスタ７１０で検知された温度が６５℃（調節値）に到達するまでは、設定通電率の１５０％の通電率（起動出力値を実現する通電率）で通電し、その後通電率を設定通電率（標準出力値を実現する通電率）に落として通電する。
【０１５７】
このとき、可動ノズル７０３に送り込まれた低温の温風または冷風は、可動ノズル７０３の前端に設けられ前端切り欠き部７０３ｊおよび固定ノズル７０２の内周面により形成される漏出開口より前方に向かって噴出される。あるいは、固定ノズル７０２に前側方開口部７０２ｆが設けられていれば、前記低温の温風または冷風は、当該前側方開口部７０２ｆおよび前側方切り欠き部７０３ｉにより形成される漏出開口により、側方に向かって噴出される。
【０１５８】
さらに、前記漏出開口から噴出した低温の温風または冷風は、ノズルシャッター２０３に当たって便器６００の下方に向かって流れる。それゆえ、可動ノズル７０３内に滞留した冷風や、十分に加熱されていない低温の温風は、使用者の臀部に当たることが回避される。また、前記漏出開口は吹出口７０３ｅに比べ開口面積が小さいため、収納位置にある可動ノズル７０３内で空気が緩やかに滞留する。それゆえ、可動ノズル７０３内の空気を短時間に昇温することができる。
【０１５９】
サーミスタ７１０により検知した温風の温度が、設定温度である７５℃（乾燥値）に到達すると、制御ユニット２０４は、駆動モータ７０４の動作を開始し、可動ノズル７０３を収納位置から乾燥位置へ進出させる。乾燥位置に到達した後の制御シーケンスは実施の形態１と同様であるので、その説明は省略する。
【０１６０】
このように、本実施の形態においては、使用者がリモートコントローラ５００等の操作器を操作して乾燥ユニット７００等の乾燥機構の動作を開始させたときには、制御ユニット２０４等の制御器は、ファンモータ７０９等の送風機、および、ヒータユニット７０８（厳密にはヒータ線７０８ａ）等の加熱器の動作を先に開始させてから、温風の温度が乾燥値に達したことがサーミスタ７１０等の温度検知器により検知されれば、進退駆動機構による可動ノズル７０３の進出を開始させる制御を行う。
【０１６１】
これにより、可動ノズル７０３の進出動作が開始された時点では、温風の温度はすでに設定温度（乾燥値）まで上昇しているので、進出動作の過程で、使用者の臀部に当たる温風はすでに設定温度に到達している。それゆえ、使用者は冷風感を覚えることはなく、高いレベルの快適性を確保することができる。
【０１６２】
以上のように、本発明に係る衛生洗浄装置の好ましい一例としては、便器上に載置する本体と、前記本体に回動自在に枢支した便座と、前記便座に着座した人体局部に向けて洗浄水を噴出する洗浄手段（洗浄機構）と、前記便座に着座した人体局部に向けて温風を噴出する乾燥手段（乾燥機構）を含み、前記乾燥手段は、送風機と、加熱手段（加熱器）と、温度検知手段（温度検知器）と、温度過昇防止手段（過熱防止器）と、固定ノズルと、可動ノズルを含み、前記送風機は前記加熱手段の上流に設置し、前記温度過昇防止手段は前記送風機と前記加熱手段の間に設置し、前記温度検知手段は前記加熱手段の下流に設置し、前記可動ノズルは、後端は開口し、前端は閉塞する前端面を備えた筒状とし、前端部の天面に上方に開口する噴出口（吹出開口）を備え、前記前端面の一部を開口した開口部（漏出開口）を備え、前記可動ノズルは前記固定ノズルに挿通して前記本体より進退可能とし、前記固定ノズルに前記可動ノズルを収容した収納状態では、前記開口部を介して少量の温風を外部に噴出することを可能とし、前記固定ノズルより前記可動ノズルが進出した乾燥状態では、前記便座に着座した人体局部に向けて前記噴出口より温風を噴出する構成が挙げられる。
【０１６３】
前記構成によれば、固定ノズルに可動ノズルを収容した収納状態において、送風機と加熱手段が稼動して温風が送風された場合でも、開口部を介して温風は外部に噴出させることができるので、温風が温風ノズル内に滞らない構成とすることができる。これにより、乾燥手段内部の過剰な温度上昇を抑制することができ、特に、空気の流れを維持できることにより、送風機と加熱手段の間に設置した温度過昇防止手段の温度上昇を効果的に抑制することができる。それゆえ、温度過昇防止手段の必要以上の作動を抑制することができ、長期間安定して使用できる衛生洗浄装置を提供することができる。つまり、耐久性と信頼性とが高い乾燥手段を備えた衛生洗浄装置を得ることができる。
【０１６４】
前記構成においては、前記温度過昇防止手段は、復帰型のサーモスタットと、非復帰型の温度ヒューズで構成されていると好ましく、前記温度ヒューズを前記サーモスタットより前記送風機に近い上流側に設けられているとより好ましい。
【０１６５】
前記構成によれば、二重の温度過昇防止手段を備えたこととなるので、信頼性をより向上することができる。さらに、第１のステップとして復帰型のサーモスタットを作動させ、第２ステップとして非復帰型の温度ヒューズを作動させるように設定することにより、非復帰型の温度ヒューズの作動を抑制することができるので、必要以上のメンテナンスや修理を抑制することができる。加えて、前記温度ヒューズが前記送風機に近い位置に設けられれば、非復帰型の温度ヒューズの温度上昇は送風機が正常に作動している限り、サーモスタットの温度より低く保たれる。それゆえ、温度ヒューズの作動をより確実に抑制することができる。
【０１６６】
また、本発明に係る衛生洗浄装置の他の好ましい一例としては、便器上に載置する本体と、前記本体に回動自在に枢支した便座と、前記便座に着座した人体局部に向けて洗浄水を噴出する洗浄手段と、前記便座に着座した人体局部に向けて温風を噴出する乾燥手段と、前記洗浄手段と乾燥手段を制御する制御手段（制御器）と、前記制御手段を操作する操作手段（操作器）を含み、前記乾燥手段は、送風機と、加熱手段と、温度検知手段と、固定ノズルと、可動ノズルと、前記可動ノズルを進退する駆動手段（進退駆動機構）を含み、前記可動ノズルは前端部に噴出口を備え、前記固定ノズルに挿通して収納位置と乾燥位置とを進退可能とし、前記操作手段で乾燥の操作をした場合、前記制御手段は、前記駆動手段の駆動を開始し、前記可動ノズルが前記乾燥位置に到達する以前に、前記送風機と前記加熱手段への通電を開始する構成が挙げられる。
【０１６７】
前記構成によれば、可動ノズルが乾燥位置に到達する前から送風機と加熱手段への通電が開始されるため、可動ノズルが乾燥位置に到達した時点では、温風の温度は昇温しており、使用者は不快を感じることがない。つまり、噴出開始時から快適な温度に昇温した温風を噴出することができるので、使用者は冷感を感じることがなく、それゆえ、使用者に不快感を与えることがない。その結果、乾燥開始直後から快適な温風が供給される快適な乾燥手段を備えることができる。
【０１６８】
あるいは、他の一例としては、便器上に載置する本体と、前記本体に回動自在に枢支した便座と、前記便座に着座した人体局部に向けて洗浄水を噴出する洗浄手段と、前記便座に着座した人体局部に向けて温風を噴出する乾燥手段と、前記洗浄手段と乾燥手段を制御する制御手段と、前記制御手段を操作する操作手段を含み、前記乾燥手段は、送風機と、加熱手段と、温度検知手段と、固定ノズルと、可動ノズルと、前記可動ノズルを進退する駆動手段を含み、前記可動ノズルは前端部に噴出口を備え、前記固定ノズルに挿通して収納位置と乾燥位置とを進退可能とし、前記操作手段で乾燥の操作をした場合、前記制御手段は、前記送風機と前記加熱手段への通電を開始し、前記温度検知手段が設定温度（乾燥値）を検知したら、前記駆動手段の駆動を開始する構成を挙げることもできる。
【０１６９】
前記構成によれば、温風温度が乾燥に最適な設定温度に昇温してから、可動ノズルの進出動作を開始することとなる。そのため、人体局部や臀部に冷風が当たることが実質的に皆無となり、使用者に不快感を与えることがない。その結果、乾燥開始直後から快適な温風が供給される快適な乾燥手段を備えることができる。
【０１７０】
前記構成においては、前記加熱手段への通電は、通電開始直後は大きい通電容量で通電し、前記温度検知手段が設定温度より低い所定温度（調節値）を検知したら、通電容量を減少する構成であると好ましい。
【０１７１】
前記構成によれば、最初は高い昇温速度で昇温し、設定温度に近づくと昇温速度を低下させて設定温度をオーバーシュートすることを抑制することができる。それゆえ、短時間で昇温できるとともに正確な温度設定が可能となる。
【０１７２】
また、本発明に係る衛生洗浄装置のさらに他の好ましい一例としては、便器上に載置する本体と、前記本体に回動自在に枢支した便座と、前記便座に着座した人体局部に向けて洗浄水を噴出する洗浄手段と、前記便座に着座した人体局部に向けて温風を噴出する乾燥手段を含み、前記乾燥手段は、送風機と、加熱手段と、温度検知手段と、固定ノズルと、前端に噴出口を備えた可動ノズルを含み、前記可動ノズルは前記固定ノズルに挿通して前記本体より進退し、前記便座に着座した人体局部に向けて前記噴出口より温風を噴出し、前記固定ノズルの後端は前記本体の内部に位置し、前記固定ノズルの前端は前記本体の前面下部に位置し、前記固定ノズルの底部には後方より前方が低い傾斜部（傾斜面）を備えるとともに、前記傾斜部の後端に連接して前記傾斜部より緩やかな傾斜の平坦部（平坦面）を備え、前記平坦部に前記温度検知手段を設置し、前記可動ノズルが後退した状態で、前記可動ノズルの底部が前記温度検知手段を覆わない構成が挙げられる。
【０１７３】
前記構成によれば、温度検知手段は固定ノズルの傾斜部の後端の最高位置となる平坦部に設置したため、可動ノズルが進出した状態では、噴出孔から距離的に離れ、しかも高低差も大きいため、清掃時の水が到達しにくい構成であるとともに、例えば清掃時の水が付着した可動ノズルを固定ノズル内に後退させた場合でも、温度検知手段を覆わないため、可動ノズルの底部に付着した水が温度検知手段に落下したり付着したりすることがなく、温度検知手段を常に乾燥した状態で維持できるため、温風の温度の安定を図ることができる。これにより、乾燥手段の温風温度をコントロールする温度検知手段に、水が付着することにより発生する検知誤差を抑制し、温風の温度が安定した快適な乾燥手段を備える衛生洗浄装置を得ることができる。
【０１７４】
前記構成においては、前記可動ノズルは筒状とし、底部後端より前方に切り込んだ切り欠き部を設け、前記可動ノズルを後退した状態で、前記温度検知手段は前記切り欠き部の内方に配置される構成であると好ましい。これにより、温度検知手段は切り欠き部の内方に配置されるため、可動ノズルの底部に付着した水が温度検知手段に付着することがなく、しかも、可動ノズルの全長を切り欠き部の分長くできるため、進出距離を長くできるとともに進退動作の安定を図ることができる。
【０１７５】
また、前記構成においては、前記平坦部に上方に突起した突起部を設け、前記温度検知手段を前記突起部に設置した構成であると好ましい。これにより、たとえ平坦部に大量の水が落下した場合でも、温度検知手段に水が付着することを防止することができ、より温度検知の安定化を図ることができる。
【０１７６】
あるいは、前記構成においては、前記固定ノズルの傾斜部と前記可動ノズルの底部との間に間隙を形成し、前記間隙は傾斜部の後端から前端まで連通し、前記間隙の前端および後端は開放した構成とし、前記間隙を介して乾燥手段内に進入した水を排水可能な構成であると好ましい。これにより、平坦部に比較的大量の水が浸入した場合でも、そのほとんどは間隙を介してノズル外に排出されるため、温度検知手段に水が付着することをより確実に防止することができる。
【０１７７】
ここで、前述したように、本発明は、衛生洗浄装置において、過熱防止器の必要以上の作動を抑制することが可能となり、さらには、使用者に冷風が当たり不快を感じることを抑制することが可能となりあるいは、温風の温度をコントロールするサーミスタに水がかかる心配が低減され、サーミスタの検知温度の誤差の発生をなくす事が可能となる。したがって、本発明の技術思想は、衛生洗浄装置だけでなく、例えば、温風を発生させたり使用したりする他の家電機器にも適用可能であり、あるいは、温水を使用する給湯器等の他の民生機器にも適用可能である。
【０１７８】
なお、本発明は前述した各実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【０１７９】
本発明は、衛生洗浄装置、便座装置、トイレ装置等の分野に広く好適に用いることができることに加え、温風を発生させたり使用したりする同様の家電機器または民生機器の分野に広く好適に用いることができる。
【符号の説明】
【０１８０】
１００    衛生洗浄装置
１０１    給水ユニット
１０２    熱交換器
１０３    洗浄ノズルユニット（洗浄機構）
２００    本体
２０４    制御ユニット（制御器）
４００    便座
５００    リモートコントローラ（操作器）
６００    便器
７００    乾燥ユニット（乾燥機構）
７０２    固定ノズル
７０２ａ  傾斜面
７０２ｃ  平坦面
７０２ｄ  突起部
７０３    可動ノズル
７０３ａ  底面
７０３ｄ  前端面
７０３ｅ  吹出口（吹出開口）
７０３ｈ  Ｕ字切り込み部（切り込み部）
７０３ｉ  前側方切り欠き部（漏出開口）
７０３ｊ  前端切り欠き部（漏出開口）
７０４    駆動モータ（進退駆動機構）
７０５    ギア機構（進退駆動機構）
７０８ａ  ヒータ線（加熱器）
７０８ｄ  温度ヒューズ（過熱防止器）
７０８ｃ  サーモスタット（過熱防止器）
７０９    ファンモータ（送風機）
７１０    サーミスタ（温度検知器）
【図１】
2010222964.tif 000003
【図２】
2010222964.tif 000004
【図３】
2010222964.tif 000005
【図４】
2010222964.tif 000006
【図５】
2010222964.tif 000007
【図６】
2010222964.tif 000008
【図７】
2010222964.tif 000009
【図８】
2010222964.tif 000010
【図９】
2010222964.tif 000011
【図１０】
2010222964.tif 000012
【図１１】
2010222964.tif 000013
【図１２】
2010222964.tif 000014
【図１３】
2010222964.tif 000015
【図１４】
2010222964.tif 000016
【図１５】
2010222964.tif 000017
【図１６】
2010222964.tif 000018
【図１７】
2010222964.tif 000019